(57)【特許請求の範囲】
【請求項１】
所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断し、前記判断の結果に応じて、前記端末装置に提供する、前記機器に関連する所定の情報を決定する制御部、を含み、
前記制御部は、前記エリア内に前記端末装置がいると判断した場合には前記所定の情報として第１の情報に決定し、前記エリア内に前記端末装置がいないと判断した場合には前記所定の情報として前記第１の情報とは異なる第２の情報に決定する、サーバー装置。
【請求項２】
前記端末装置から受信する前記情報は、前記情報通信媒体にあらかじめ対応付けられた前記機器を特定する機器特定情報である、ことを特徴とする請求項１に記載のサーバー装置。
【請求項３】
前記サーバー装置は、前記機器の状態を示す機器状態情報を受信し、
前記制御部は、前記所定の情報の決定において、前記端末装置からの情報の受信に基づく判断の結果と前記機器状態情報の受信に基づいて、前記端末装置に提供する前記所定の情報の決定をする、ことを特徴とする請求項１又は２に記載のサーバー装置。
【請求項４】
前記機器状態情報は、前記機器の電源のオン状態に関する情報である、ことを特徴とする請求項３に記載のサーバー装置。
【請求項５】
前記機器状態情報は、前記機器に対応付けられた前記情報通信媒体により生成された情報である、ことを特徴とする請求項３又は４に記載のサーバー装置。
【請求項６】
前記近距離無線通信は、前記端末装置を保持するユーザの意思にかかわらず受動的に前記情報通信媒体との間で行われる通信である、ことを特徴とする請求項１〜５のいずれか一項に記載のサーバー装置。
【請求項７】
前記情報通信媒体は前記端末装置に対して近距離無線通信によりビーコン信号を送信し、前記端末装置から送信され前記サーバー装置が受信した情報は、前記ビーコン信号により情報通信媒体から前記端末装置に送信された情報である、ことを特徴とする請求項１〜６のいずれか一項に記載のサーバー装置。
【請求項８】
前記所定の情報は、前記端末装置及び前記機器の少なくとも一方の動作を指定する動作指定情報である、ことを特徴とする請求項１〜７のいずれか一項に記載のサーバー装置。
【請求項９】
前記第１の情報は、所定のアプリケーションの起動に関する情報であり、前記第２の情報は、前記機器の利用を促す表示に関する情報である、ことを特徴とする請求項１〜８のいずれか一項に記載のサーバー装置。
【請求項１０】
通信可能に接続された端末装置に所定の情報をサーバー装置が提供するための方法であって、
前記サーバー装置が、所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断する段階と、
前記サーバー装置が、前記判断の結果に応じて、前記端末装置に提供する、前記機器に関連する前記所定の情報を決定する段階と、
を含み、
前記所定の情報を決定する段階は、前記判断する段階において前記エリア内に前記端末装置がいると判断された場合には前記所定の情報として第１の情報に決定し、前記エリア内に前記端末装置がいないと判断された場合には前記所定の情報として前記第１の情報とは異なる第２の情報に決定する、方法。
【請求項１１】
通信可能に接続された端末装置に所定の情報を提供するためのコンピュータを、
所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断し、前記判断の結果に応じて、前記端末装置に提供する、前記機器に関連する前記所定の情報を決定する制御部、
として機能させるプログラムであって、
前記制御部は、前記エリア内に前記端末装置がいると判断した場合には前記所定の情報として第１の情報に決定し、前記エリア内に前記端末装置がいないと判断した場合には前記所定の情報として前記第１の情報とは異なる第２の情報に決定する、プログラム。
【請求項１２】
所定の機器と対応付けられた情報通信媒体との間で近距離無線通信が可能なエリア内に近づくと前記情報通信媒体から近距離無線信号に含まれる情報を受信する処理を行うとともに、前記受信した情報を遠隔に設置されたサーバー装置に送信する端末装置と、
前記端末装置から送信された前記情報の受信に基づいて、前記情報通信媒体との間で近距離無線通信が可能なエリア内に前記端末装置がいるか否かを判断し、前記判断の結果に応じて、前記端末装置に提供する、前記機器に関連する所定の情報を決定する前記サーバー装置と、
を含む情報管理システムであって、
前記サーバー装置は、前記エリア内に前記端末装置がいると判断した場合には前記所定の情報として第１の情報に決定し、前記エリア内に前記端末装置がいないと判断した場合には前記所定の情報として前記第１の情報とは異なる第２の情報に決定する、情報管理システム。
【発明の詳細な説明】
【技術分野】
【０００１】
本発明は、所定の機器と対応付けられた情報通信媒体との間で近距離無線通信により通信可能な端末装置に対して所定の情報の提供を行うサーバー装置と、そのサーバー装置を含む情報管理システムに関する。
【背景技術】
【０００２】
近年、携帯電話などの端末装置を用いて、テレビなどの家電製品と連携して、その家電製品に関する様々な情報を入手するようなシステムが知られるようになってきた。このような端末装置による情報の入手を実現するためのシステムの一例としては、特許文献１に記載のテレビジョンシステムがあった。
【０００３】
具体的には、特許文献１に記載のテレビジョンシステムにおいては、ＥＰＧ（Ｅｌｅｃｔｒｉｃ  Ｐｒｏｇｒａｍ  Ｇｕｉｄｅ：電子番組ガイド）と呼ばれる情報の提供を要求する信号を携帯電話からテレビに対して送信し、テレビがこの要求信号を受信するとその要求信号に対応したＥＰＧ情報を携帯電話に送信するようなシステムであった。
【先行技術文献】
【特許文献】
【０００４】
【特許文献１】特開２００８−２７１１９７号公報
【発明の概要】
【発明が解決しようとする課題】
【０００５】
しかし、上記特許文献１に記載のテレビジョンシステムにおいては、携帯電話を保持するユーザが携帯電話のチャンネル送信ボタンを送信することによってはじめてＥＰＧ情報が携帯電話に対して送信されるものであって、ユーザに対して不便を強いるものであった。
【０００６】
そこで、本発明の様々な実施形態により、ユーザに対して所定の情報の提供するにあたって、より利便性が高められたシステム又はそのサーバー装置を提供する。
【課題を解決するための手段】
【０００７】
本発明の一実施形態に係るサーバー装置は、所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断し、前記判断の結果に応じて前記端末装置に提供する前記機器に関連する所定の情報を決定する制御部、を含むことを特徴とするものである。
【０００８】
本発明の一実施形態に係る方法は、通信可能に接続された端末装置に所定の情報をサーバー装置が提供するための方法であって、前記サーバー装置が、所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断する段階と、前記サーバー装置が、前記判断の結果に応じて前記端末装置に提供する前記機器に関連する前記所定の情報を決定する段階と、を含むことを特徴とするものである。
【０００９】
本発明の一実施形態に係るプログラムは、通信可能に接続された端末装置に所定の情報を提供するためのコンピュータを、所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断し、前記判断の結果に応じて前記端末装置に提供する前記機器に関連する前記所定の情報を決定する制御部、として機能させることを特徴とするものである。
【００１０】
本発明の一実施形態に係る情報管理システムは、所定の機器と対応付けられた情報通信媒体との間で近距離無線通信が可能なエリア内に近づくと前記情報通信媒体から近距離無線信号に含まれる情報を受信する処理を行うとともに、前記受信した情報を遠隔に設置されたサーバー装置に送信する端末装置と、前記端末装置から送信された前記情報の受信に基づいて、前記情報通信媒体との間で近距離無線通信が可能なエリア内に前記端末装置がいるか否かを判断し、前記判断の結果に応じて前記端末装置に提供する前記機器に関連する所定の情報を決定する前記サーバー装置と、を含むことを特徴とするものである。
【発明の効果】
【００１１】
本発明の様々な実施形態により、ユーザに対して所定の情報の提供をするにあたって、より利便性が高められたシステム又はそのサーバー装置を提供する。
【図面の簡単な説明】
【００１２】
【図１】図１は、第１実施形態に係る端末装置を含む情報管理システムの構成を示す構成図である。
【図２】図２は、端末装置１００の構成を示すブロック図である。
【図３】図３は、機器２００及び情報通信媒体３００の構成を示すブロック図である。
【図４】図４は、サーバー装置４００の構成を示すブロック図である。
【図５】図５は、情報通信媒体３００のメモリ部３１２が記憶する情報の具体例を示す図である。
【図６】図６は、端末装置１００のメモリ部１１４が記憶する情報の具体例を示す図である。
【図７】図７は、サーバー装置４００のメモリ部４１４が記憶する情報の具体例を示す図である。
【図８（ａ）】図８（ａ）は、本実施形態に係る情報管理システム１の処理シーケンスの一例を示すシーケンス図である。
【図８（ｂ）】図８（ｂ）は、本実施形態に係る情報管理システム１の処理シーケンスの他の例を示すシーケンス図である。
【図９】図９は、状況Ｉ〜ＩＩＩとサーバー装置４００によって決定される動作指定情報の対応関係を示す概念図である。
【図１０】図１０は、端末装置１００の制御部１１１によって行われる制御フローを示す図である。
【図１１】図１１は、サーバー装置４００の制御部４１１によって行われる制御フローを示す図である。
【図１２】図１２は、第２実施形態に係る端末装置１１００を含む情報管理システム１０００の構成を示す構成図である。
【図１３】図１３は、機器１２００及び情報通信媒体１３００の構成を示すブロック図である。
【図１４】図１４は、情報通信媒体１３００のメモリ部３１２が記憶する情報の具体例を示す図である。
【図１５】図１５は、端末装置１１００のメモリ部１１４が記憶する情報の具体例を示す図である。
【図１６】図１６は、サーバー装置１４００のメモリ部４１４が記憶する情報の具体例を示す図である。
【図１７（ａ）】図１７（ａ）は、第２実施形態に係る情報管理システム１０００の処理シーケンスの一例を示すシーケンス図である。
【図１７（ｂ）】図１７（ｂ）は、第２実施形態に係る情報管理システム１０００の処理シーケンスの他の例を示すシーケンス図である。
【図１８】図１８は、状況Ｉ〜ＩＩＩとサーバー装置１４００によって決定される動作指定情報の対応関係を示す概念図である。
【図１９】図１９は、端末装置１１００の制御部１１１によって行われる制御フローを示す図である。
【図２０】図２０は、サーバー装置１４００の制御部４１１によって行われる制御フローを示す図である。
【発明を実施するための形態】
【００１３】
以下、添付図面を参照して本発明の実施形態を説明する。なお、図面における共通する構成要素には同一の参照符号が付されている。
【００１４】
＜第１実施形態＞
［第１実施形態の概要］
図１は、第１実施形態に係る端末装置１００を含む情報管理システム１の構成を示す構成図である。この情報管理システム１は、端末装置１００と、情報通信媒体３００とあらかじめ対応付けられた機器２００と、機器２００にあらかじめ対応付けられると共に端末装置１００と近距離無線通信を行う情報通信媒体３００と、遠隔に設置され端末装置１００と無線通信により接続されたサーバー装置４００とから構成されている。
【００１５】
端末装置１００の例としては、本実施形態ではスマートフォンに代表されるような無線通信が可能な携帯型の端末装置について説明するが、当然これには限らない。すなわち、他の例として、携帯型ゲーム機、フィーチャーフォン、携帯情報端末、ＰＤＡ、ラップトップパソコンなど、端末装置を保持するユーザとともに持ち運びが可能な装置であれば、本発明を好適に適用することが可能である。
【００１６】
機器２００の例としては、本実施形態ではテレビについて説明するが、当然これには限らない。すなわち、他の例として、セットトップボックスなどのテレビ放送用受信機、ビデオやＤＶＤ、ＣＤなどを再生する各種オーディオデッキ、家庭用ゲーム機、冷蔵庫、電子レンジ、照明器具、エアコン、体重計などの健康器具等の各種家電製品に加えて、自動車等も挙げることが可能である。
【００１７】
情報通信媒体３００の例としては、本実施形態では端末装置１００との間で近距離無線通信が可能なビーコンと呼ばれる小型の端末について説明するが、当然これには限らない。すなわち、他の例として、無線ＬＡＮの宅内ルーター、アクセスポイントなどが挙げられる。このような情報通信媒体３００は、端末装置１００と近距離無線通信によって接続される。このような近距離無線通信方式としては、無線ＬＡＮやＢｌｕｅｔｏｏｔｈ（登録商標）などが挙げられるが、好ましくはＢｌｕｅｔｏｏｔｈ  ＬＥと呼ばれる方式が用いられる。このＢｌｕｅｔｏｏｔｈ  ＬＥでは、例えばリチウムボタン電池のような電源部しか備えない情報通信媒体であっても長時間の駆動が可能となり、通常のＢｌｕｅｔｏｏｔｈに比して低消費電力化が図られている。
【００１８】
本実施形態に係る情報管理システム１は、上記端末装置１００、機器２００、情報通信媒体３００に加えてサーバー装置４００から構成されており、これらが適宜連携して端末装置１００に対して所定の情報を提供する。
【００１９】
ここでは、端末装置１００がスマートフォン、機器２００がテレビ、情報通信媒体３００がビーコンから構成される場合を例に本実施形態に係る情報管理システム１の概略について説明する。まず、ビーコンはテレビ内部にあらかじめ組み込まれているか、あるいは後付けてテレビに関連付けられて配置されている。したがって、ユーザに保持されるスマートフォンがビーコンと近距離無線通信可能なエリア内にない場合には、それを保持するユーザはビーコンが配置されたテレビの周辺にいないと仮定できる。そのような場合には、サーバー装置はスマートフォンに対してテレビの視聴を促すような情報（例えば、本日のおすすめ番組情報）を送信する。一方で、ユーザに保持されるスマートフォンがビーコンと近距離無線通信可能なエリア内にいる場合には、それを保持するユーザはビーコンが配置されたテレビの周辺にいると仮定できる。そのような場合には、サーバー装置はスマートフォンに対してテレビ視聴に関連するアプリケーション（ＳＮＳアプリケーション）を起動するための情報（プログラム）を送信する。
【００２０】
上記の例ではスマートフォンがビーコンと近距離無線通信可能なエリア内にあるか否かで送信する情報を区別したが、さらにビーコンが配置されたテレビの状態に関する情報も加味して情報を送信することも可能である。すなわち、ユーザがテレビの周辺にいるときであるがテレビがオンの状態でない場合には、サーバー装置はスマートフォンに対して現在視聴可能な番組の詳細情報を送信するが、オンの状態になっているような場合には、ユーザはテレビを視聴している可能性が極めて高いので、サーバー装置はスマートフォンに対して視聴中のテレビ情報をＳＮＳ等で他ユーザと共有することを促すような情報や番組連動アプリの使用を促すような情報を送信する。
【００２１】
［端末装置１００の構成］
図２は、図１に示した情報管理システム１に含まれる端末装置１００の構成を示すブロック図である。なお、本実施形態に係る端末装置１００は、図２に示す構成要素の全てを備える必要はなく、一部を省略した構成をとることも可能である。
【００２２】
端末装置１００は、制御部１１１、コネクタ１１２、表示部１１３、メモリ部１１４、タッチパネル１１６及びハードキー１１７を含む操作部１１５、スピーカー１１９及びマイクロフォン１２０と接続された音声処理部１１８、アンテナ１２２と接続された無線通信処理部１２１、カメラ１２４に接続された画像処理部１２３を含み、これら各要素が制御ライン及びデータラインを介して互いに電気的に接続されている。
【００２３】
制御部１１１は、ＣＰＵ（マイクロコンピュータ：マイコン）から構成され、タッチパネル１１６への接触により入力される座標情報に基づいて、メモリ部１１４に記憶された各画像情報の表示部１１３への表示を制御する。また、制御部１１１は、メモリ部１１４に記憶された各種アプリケーションを実行するためのプログラムを読みだして、これらアプリケーションの実行を制御する。すなわち、制御部１１１は、メモリ部１１４に記憶された各種プログラムに基づいて、接続された他の構成要素を制御する。
【００２４】
本実施形態においては、制御部１１１は、無線通信処理部１２１が情報通信媒体３００から近距離無線信号を受信する処理を行ったか否か、すなわち、端末装置１００が情報通信媒体３００との間で近距離無線通信の確立が可能になったか否かを判断する処理を行うことも可能である。
【００２５】
コネクタ１１２は、端末装置１００内に設けられたバッテリー部（図示しない）への充電をするための端子や、外部端末との接続をするための端子等を含む。
【００２６】
表示部１１３は、メモリ部１１４に記憶された画像情報に基づいて所定のプログラムを実行する制御部１１１によって指示された表示を行う。具体的には、制御部１１１による本実施形態に係るプログラムの実行に伴い、サーバーから受信した所定の情報の表示を行う。一例としては、表示部１１３は、液晶ディスプレイから構成される。なお、本実施形態に係る端末装置は単一の表示部を備えるものであるが、２つ以上の表示部を備えるものであっても良い。
【００２７】
メモリ部１１４は、ＲＯＭ、ＲＡＭ、不揮発性メモリ等から構成され、本実施形態に係るアプリケーションを実行するためのプログラムが記憶される。ＲＯＭは、例えば本実施形態に係るプログラムを記憶するメモリである。制御部１１１は、このプログラムをロードすることにより各種処理を実行する。ＲＡＭは、ＲＯＭに記憶されたプログラムを実行することにより生成される各種命令が制御部１１１により処理されている間、データの書き込み及び読み込みをするために用いられるメモリである。不揮発性メモリは、当該プログラムの実行によってデータの書き込み及び読み込みが実行されるメモリであって、ここに書き込まれたデータは、当該プログラムの実行が終了した後でも保存される。
【００２８】
操作部１１５は、タッチパネル１１６やハードキー１１７等から構成され、ユーザからの各種指示を受け付ける。
【００２９】
タッチパネル１１６は、表示部１１３を被覆するように配置され、表示部１１３の表示する画像データに対応する位置座標のデータを制御部１１１に出力するものである。タッチパネル方式としては、抵抗膜方式、静電容量結合方式、電磁誘導方式、超音波表面弾性波方式など、公知の方式を利用することができる。また、その利用する方式に応じて、指やスタイラスペンなど公知の指示体によるタッチパネルへの接触を検出する。
【００３０】
ハードキー１１７は、物理的にスイッチを押下することにより信号のオン・オフを制御するもので、電源キーや音量キーなどから構成される。これらのハードキー１１７は、端末装置の電源のオン・オフや、プログラム実行中のバックミュージックの音量などを制御する。
【００３１】
音声処理部１１８は、マイクロフォン１２０から入力された音声情報をメモリ部１１４に記憶するため符号化する。また、音声処理部１１８は、メモリ部１１４に記憶されたバックミュージックなどの音声情報を復号化してスピーカー１１９から出力する。
【００３２】
無線通信処理部１２１は、接続されたアンテナ１２２とともに通信部として機能する。メモリ部１１４に記憶された情報を遠隔に設置されたサーバー装置等の他の端末にネットワークを介して送信するため、又はサーバー装置等の他の端末から送信されて来た情報を受信するために、変調や復調などの各種処理を行うものである。
【００３３】
無線通信処理部１２１は、第１の無線通信処理部と第２の無線通信処理部など、通信処理方式に応じて複数の処理部を有する（図示しない）。本実施形態においては、一例として、情報通信媒体３００との通信を行う第１の無線通信処理部と、サーバー装置４００との通信を行う第２の無線通信処理部を備える。
【００３４】
この無線通信処理部１２１のうち、第１の無線通信処理部は、ＩＥＥＥ８０２．１１に代表されるような無線ＬＡＮやＢｌｕｅｔｏｏｔｈ（登録商標）のような狭帯域の無線通信に関する方式や、ＮＦＣなどの非接触通信に関する方式に基づいて処理することも可能である。
【００３５】
本実施形態においては、好ましくは、無線通信処理部１２１のうち第１の無線通信処理部は情報通信媒体３００から近距離無線信号を受信するにあたり、端末装置１００を保持するユーザの意思にかかわらず情報通信媒体３００との間で近距離無線通信が開始される通信方式が用いられる。すなわち、このような通信方式は、いわば端末装置１００と情報通信媒体３００との間で近距離無線通信が受動的に開始される通信方式であるといえる。
【００３６】
なお、本実施形態においては、「ユーザの意思にかかわらず」というのは、例えば、「ユーザ自身が端末装置１００の近距離無線通信機能を起動することなく」ということを意味しているのではなく、ユーザにそれ以外の特段の動作を強いることなく近距離無線通信が開始されることを意味している。すなわち、本実施形態に係る近距離無線通信とは、近距離無線通信機能の起動がなされている状態において、ユーザにそれら以外の特段の操作を強いることなく情報通信媒体３００との間で近距離無線通信を行うものを指す。したがって、上記状態において、ユーザに対して情報通信媒体３００に意図的に近づけるような動作を強いるようなものではない。
【００３７】
また、本実施形態において、「受動的」に行われる通信というのは、ユーザに特段の動作を強いることなく情報通信媒体３００との間で近距離無線通信を確立することが可能なものであって、「能動的」に行われる通信というのは、１ｍなどの非常に接近したエリア内に、ユーザが端末装置１００を近づけようという意図をもって、端末装置１００を近づけたことにより近距離無線通信を確立するものである。
【００３８】
このような近距離無線通信としては、情報通信媒体３００と端末装置１００との間が１ｍ以上の距離があいていたとしても通信可能なものが挙げられる。このような通信距離であっても通信可能であれば、端末装置１００を保持するユーザが情報通信媒体３００の通信可能なエリア内に入ることを意識せずとも通信が可能となる。
【００３９】
本実施形態に係る無線通信処理部１２１のうち第１の無線通信処理部で用いられる通信方式の具体例としては、無線ＬＡＮやＢｌｕｅｔｏｏｔｈ（登録商標）による近距離無線通信方式が挙げられる。より典型的には、Ｂｌｕｅｔｏｏｔｈ  ＬＥ（低消費電力Ｂｌｕｅｔｏｏｔｈ）、Ｚｉｇｂｅｅ（登録商標）、ＡＮＴ＋による近距離無線通信が挙げられる。
【００４０】
無線通信処理部１２１のうち第２の無線通信処理部は、サーバー装置４００との間で機器特定情報等の情報を送受信するにあたり、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式に代表されるような広帯域の無線通信方式に基づいて処理することも可能であるし、ＩＥＥＥ８０２．１１に代表されるような無線ＬＡＮのような狭帯域の無線通信に関する方式に基づいて処理することも可能である。
【００４１】
なお、情報通信媒体３００との通信、サーバー装置４００との通信に同じ通信方式を採用するような場合には、当然、無線通信処理部を分ける必要はなく、単一の構成にすることも可能である。
【００４２】
画像処理部１２３は、カメラ１２４に接続され、カメラ１２４において撮像された画像を保存に適したデータ形式に変換して、メモリ部１１４に保存する。
【００４３】
［機器２００の構成］
図３は、図１に示した情報管理システム１に含まれる機器２００及び情報通信媒体３００の構成を示すブロック図である。なお、本実施形態に係る機器２００及び情報通信媒体３００は、図３に示す構成要素の全てを備える必要はなく、一部を省略した構成をとることも可能である。
【００４４】
機器２００は、制御部２１１、コネクタ２１２、表示部２１３、メモリ部２１４、チューナ２１５、スピーカー２１７に接続された音声処理部２１６、アンテナ２１９に接続された無線通信処理部２１８を含み、これらの各要素が制御ライン及びデータラインを介して互いに電気的に接続されている。
【００４５】
制御部２１１は、ＣＰＵ（マイクロコンピュータ：マイコン）などから構成され、チューナ２１５を介して受信したＴＶ番組の表示部２１３への表示を制御する。また、制御部２１１は、メモリ部２１４に記憶された各種アプリケーションを実行するためのプログラムを読みだして、これらアプリケーションの実行を制御する。また、制御部２１１は、図示しないリモコン装置からの信号を受信する赤外線受信部によって受信した赤外線信号に基づいてＴＶ番組の視聴を制御する。
【００４６】
コネクタ２１２は、ＤＶＤデッキなどの外部端末との接続をするための端子や、端末装置１００と有線接続するための端子を含む。
【００４７】
表示部２１３は、チューナ２１５を介して受信したＴＶ番組を制御部２１１の制御に基づいて表示する。また、無線通信処理部２１８を介して入手した各種画像コンテンツを制御部２１１の制御により表示する。
【００４８】
メモリ部２１４は、ＲＯＭ、ＲＡＭ、不揮発性メモリ、ＨＤＤ等から構成され、所定のアプリケーションを実行するためのプログラムが記憶される。ＲＯＭは、例えば本実施形態に係るプログラムを記憶するメモリである。制御部２１１は、このプログラムをロードすることにより各種処理を実行する。ＲＡＭは、ＲＯＭに記憶されたプログラムを実行することにより生成される各種命令が制御部２１１により処理されている間、データの書き込み及び読み込みをするために用いられるメモリである。不揮発性メモリは、当該プログラムの実行によってデータの書き込み及び読み込みが実行されるメモリであって、ここに書き込まれたデータは、当該プログラムの実行が終了した後でも保存される。ＨＤＤは、無線通信処理部２１８を介して入手した各種画像コンテンツや、チューナ２１５を介して受信したＴＶ番組情報を記憶する。
【００４９】
チューナ２１５は、複数のＴＶ番組のそれぞれに対応する地上波デジタルテレビ放送信号のうち少なくとも一つを受信する。そして受信した地上波デジタルテレビ放送信号を表示部２１３で表示可能な映像信号に変換することにより、受信したＴＶ番組を表示可能にする。
【００５０】
音声処理部２１６は、メモリ部２１４に記憶された画像コンテンツに対応する音声コンテンツや、チューナ２１５を介して受信したＴＶ番組に含まれる音声信号などの音声情報を復号化してスピーカー２１７から出力する。
【００５１】
無線通信処理部２１８は、接続されたアンテナ２１９とともに通信部として機能する。メモリ部２１４に記憶された情報を遠隔に設置されたサーバー装置４００や端末装置１００等の他の端末にネットワークを介して送信するため、又はサーバー装置４００や端末装置１００等の他の端末から送信されて来た情報を受信するために、変調や復調などの各種処理を行うものである。
【００５２】
この無線通信処理部２１８は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式に代表されるような広帯域の無線通信方式に基づいて処理されることを排除するものではないが、一例としては、ＩＥＥＥ８０２．１１に代表されるような無線ＬＡＮやＢｌｕｅｔｏｏｔｈ（登録商標）のような狭帯域の無線通信に関する方式に基づいて処理される。
【００５３】
なお、特に図示はしないがサーバー装置４００等との通信においては有線通信を利用することも可能である。そのような場合には、無線通信処理部２１８に加えて有線通信処理部を有する。
【００５４】
［情報通信媒体３００の構成］
引き続き図３を参照して情報通信媒体３００の構成について説明する。このような情報通信媒体３００は、例えば機器２００の内部にあらかじめ組み込むことも可能であるし、機器２００の近辺に後から配置することも可能である。そして、このような情報通信媒体３００には、あらかじめ機器２００を特定する機器特定情報が割り当てられることにより、機器２００と１対１に対応付けられている。
【００５５】
情報通信媒体３００は、制御部３１１、メモリ部３１２、アンテナ３１４と接続された無線通信処理部３１３、機器２００の現在の状態を取得する状態取得部３１５を含み、これら各要素が制御ライン及びデータラインを介して互いに電気的に接続されている。
【００５６】
制御部３１１は、ＣＰＵ（マイクロコンピュータ：マイコン）などから構成されメモリ部３１２への情報の記憶及び読み出しを制御する。本実施形態においては、対応付けられた機器２００の現在の状態を示す機器状態情報に応じた処理を行う場合には、機器２００の現在の状態を取得する状態取得部３１５を制御する。
【００５７】
メモリ部３１２は、ＲＯＭ、ＲＡＭ、不揮発性メモリ等から構成され、情報通信媒体３００による近距離無線信号の送受信に必要なプログラムが記憶される。ＲＯＭは、例えば当該プログラムを記憶するメモリである。制御部３１１は、このプログラムをロードすることにより近距離無線通信や状態取得部３１５による状態取得処理を実行する。ＲＡＭは、ＲＯＭに記憶されたプログラムを実行することにより生成される各種命令が制御部３１１により処理されている間、データの書き込み及び読み込みをするために用いられるメモリである。不揮発性メモリは、当該プログラムの実行によってデータの書き込み及び読み込みが実行されるメモリであって、ここに書き込まれたデータは、当該プログラムの実行が終了した後でも保存される。
【００５８】
本実施形態においては、メモリ部３１２に、あらかじめ対応付けられた機器２００を特定するための機器特定情報が記憶されている。この機器特定情報としては、対応付けられた機器２００が特定されればよいので、機器２００に対してあらかじめ付与されたＭＡＣアドレスやＵＵＩＤ（Ｕｎｉｖｅｒｓａｌｌｙ  Ｕｎｉｑｕｅ  Ｉｄｅｎｔｉｆｉｅｒ：ユニバーサル一意識別子）などの機器２００を特定する識別ＩＤや、情報通信媒体３００にあらかじめ付与されたＵＵＩＤなどの情報通信媒体３００を特定する識別ＩＤを用いることが可能である。なお、情報通信媒体３００を特定する識別ＩＤを用いる場合には、サーバー装置４００において機器２００と情報通信媒体３００を特定する識別ＩＤとの対応関係を示すテーブルに基づいて機器２００が特定される。
【００５９】
無線通信処理部３１３は、アンテナ３１４に接続され、端末装置１００との間の近距離無線通信のための信号の変調や復調などの各種処理を行うものである。
【００６０】
この無線通信処理部３１３は、ＩＥＥＥ８０２．１１に代表されるような無線ＬＡＮやＢｌｕｅｔｏｏｔｈ（登録商標）のような狭帯域の無線通信に関する方式や、ＮＦＣなどの非接触通信に関する方式に基づいて処理することも可能である。
【００６１】
本実施形態においては、好ましくは、端末装置１００の無線通信処理部１２１において処理される通信方式に対応した通信方式が採用される。すなわち、無線通信処理部３１３には、端末装置１００が情報通信媒体３００から近距離無線信号を受信するにあたり、端末装置１００を保持するユーザの意思にかかわらず情報通信媒体３００との間で近距離無線通信が開始される通信方式が用いられる。すなわち、このような通信方式は、いわば端末装置１００と情報通信媒体３００との間で近距離無線通信が受動的に開始される通信方式である。
【００６２】
このような近距離無線通信としては、情報通信媒体３００と端末装置１００との間が１ｍ以上の距離があいていたとしても通信可能なものが挙げられる。このような通信距離であっても通信可能であれば、端末装置１００を保持するユーザが情報通信媒体３００の通信可能なエリア内に入ることを意識せずとも通信が可能となる。
【００６３】
本実施形態に係る無線通信処理部３１３で用いられる通信方式の具体例としては、無線ＬＡＮやＢｌｕｅｔｏｏｔｈ（登録商標）による近距離無線通信方式が挙げられる。より典型的には、Ｂｌｕｅｔｏｏｔｈ  ＬＥ（低消費電力Ｂｌｕｅｔｏｏｔｈ）、Ｚｉｇｂｅｅ（登録商標）、ＡＮＴ＋による近距離無線通信が挙げられる。
【００６４】
なお、本実施形態においては、情報通信媒体３００は、近距離無線信号を出力するために、機器２００から電力の供給を受けることも可能であるし、機器２００とは独立した電源部（図示しない）を備えることも可能である。いずれにしても、本実施形態においては、情報通信媒体３００と近距離無線通信を行う端末装置１００との間で前もってペアリング等の操作を必要としないことにより通信回数が減らされて、低消費電力化がなされた近距離無線通信を用いることが可能である。これにより、無線通信処理部３１３の低消費電力駆動を実現する。すなわち、情報通信媒体３００は、低消費電力で駆動された無線通信処理部３１３から近距離無線信号が出力され、端末装置１００に送信する。
【００６５】
このような近距離無線信号の典型としては、ビーコン信号が挙げられる。
【００６６】
状態取得部３１５は、制御部３１１の制御によって、あらかじめ対応付けられた機器２００の現在の状態を取得し、制御部３１１と共に機器状態情報を生成する。状態取得部３１５によって取得される状態の例としては、機器２００の電源のオン状態であって、機器２００の電源にかかる電圧を監視することによりその状態を取得する。また、他の機器状態情報としては、機器２００がスタンバイ状態か実行状態かに関する情報や、機器２００において現在視聴されているＴＶ番組情報、機器２００において実行されているアプリケーションに関する情報なども利用することができ、状態取得部３１５によっていずれの状態であるのかが取得される。
【００６７】
［サーバー装置４００の構成］
図４は、図１に示した情報管理システム１に含まれるサーバー装置４００の構成を示すブロック図である。なお、本実施形態に係るサーバー装置４００は、図４に示す構成要素の全てを備える必要はなく、一部を省略した構成をとることも可能である。
【００６８】
サーバー装置４００は、制御部４１１、アンテナ４１３と接続された通信処理部４１２、メモリ部４１４を含み、これら各要素が制御ライン及びデータラインを介して互いに電気的に接続されている。
【００６９】
制御部４１１は、ＣＰＵ（マイクロコンピュータ：マイコン）から構成され、メモリ部４１４に記憶されたプログラムを読みだして、これらアプリケーションの実行を制御する。すなわち、制御部４１１は、メモリ部４１４に記憶された各種プログラムに基づいて、接続された他の構成要素を制御する。本実施形態においては、制御部４１１は、端末装置１００が情報通信媒体３００との近距離無線通信が可能なエリア内にいるか否かを判断するとともに、その判断の結果に基づいて、端末装置１００に送信する所定の情報を決定する処理を制御する。
【００７０】
通信処理部４１２は、接続されたアンテナ４１３とともに通信部として機能する。メモリ部４１４に記憶された情報を端末装置１００等の他の端末にネットワークを介して送信するため、又は端末装置１００等の他の端末から送信されて来た情報を受信するために、変調や復調などの各種処理を行うものである。
【００７１】
この通信処理部４１２は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式に代表されるような広帯域の無線通信方式に基づいて処理されることを排除するものではないが、一例としては、ＩＥＥＥ８０２．１１に代表されるような無線ＬＡＮやＢｌｕｅｔｏｏｔｈ（登録商標）のような狭帯域の無線通信に関する方式に基づいて処理される。なお、当該通信処理部４１２は、アンテナ４１３に接続され外部と無線通信可能に接続されているが、必ずしも無線通信である必要はなく、有線ケーブルを介して外部と通信可能に接続されていても良い。
【００７２】
メモリ部４１４は、ＲＯＭ、ＲＡＭ、不揮発性メモリ、ＨＤＤ等から構成され、本実施形態に係る情報管理システムにおいてサーバー装置４００の制御に必要な各種プログラムを記憶する。本実施形態においては、端末装置１００に対して送信される所定の情報に加えて、端末装置１００から送信される機器特定情報、情報通信媒体３００で生成された機器状態情報などがそれぞれ対応付けて記憶される。また、本実施形態に係る情報管理システム１を実現するためにサーバー装置４００で行われる各種処理を実行するためのプログラムが記憶される。
【００７３】
［各メモリ部に記憶される情報］
１．情報通信媒体３００のメモリ部３１２
図５は、情報通信媒体３００のメモリ部３１２が記憶する情報の具体例を示す図である。図５によると、情報通信媒体３００のメモリ部３１２には、機器特定情報及び機器状態情報が互いに対応付けて記憶されている。なお、本実施形態に係る情報管理システム１については、少なくとも端末装置１００による情報通信媒体３００との間で近距離無線通信が可能か否かが判断できれば実現可能であるので、ここに例示する情報は適宜必要に応じて記憶され利用される。
【００７４】
機器特定情報は、情報通信媒体３００にあらかじめ対応付けられた機器２００を特定するための情報である。一例としては、ＭＡＣアドレスやＵＵＩＤなどの機器２００に対して一意に割り当てられた機器２００を特定する識別ＩＤ情報を利用する。なお、本実施形態においては、対応付けられた機器２００や、その機器２００の種別のいずれかが少なくとも特定できさえすればよいので、機器２００に割り当てられた識別ＩＤ以外も当然利用することが可能である。例えば、機器２００の種別を示す情報（テレビ、冷蔵庫、自動車、オーディオデッキなど）であっても良い。さらに、情報通信媒体３００に割り当てられたＵＵＩＤなどの情報通信媒体３００を特定する識別ＩＤも利用することが可能である。このような場合は、当該識別ＩＤからは機器２００や機器２００の種別などを直接的には把握できないので、サーバー装置４００内に情報通信媒体３００の識別ＩＤと機器２００との対応関係を把握するためのテーブルを設けることにより実現することが可能である。
【００７５】
機器状態情報は、本実施形態において機器２００の現在の状態に関する情報を利用する場合に記憶される情報である。機器状態情報は、情報通信媒体３００の状態取得部３１５によって取得された機器２００の現在の状態を示す情報である。
【００７６】
機器状態情報の一例としては、機器２００の電源のオン状態に関する情報、機器２００で実行中のアプリケーションに関する情報、機器２００で視聴中の番組情報、機器２００と遠隔に設置されたサーバー装置４００との通信状況情報など、機器２００に関連するあらゆる情報を利用することが可能である。このような情報は公知の方法によって機器２００等から取得可能である。また、記憶される情報は、本実施形態に係る情報管理システム１をどのような機器２００に適用するか（例えば、テレビや冷蔵庫、自動車など）に応じて、適宜決定される。
【００７７】
２．端末装置１００のメモリ部１１４
図６は、端末装置１００が情報通信媒体３００と近距離無線通信が可能なエリア内にいる場合に端末装置１００のメモリ部１１４が記憶する情報の具体例を示す図である。図６によると、端末装置１００のメモリ部１１４には、端末ユーザ情報、機器特定情報、機器状態情報がそれぞれ対応付けて記憶される。
【００７８】
端末ユーザ情報は、端末装置１００を所有するユーザを特定するための情報である。端末装置１００がスマートフォンである場合には、端末識別番号や加入者識別番号などを用いることが可能である。また、本実施形態に係る情報管理システム１によるサービスの加入によって付与されるユーザＩＤなども利用することが可能である。端末ユーザ情報は、本実施形態に係る情報管理システム１によるサービスの加入者であるか否かの認証や、端末装置１００からサーバー装置４００に対して情報が送信されたとき、端末装置１００のユーザと機器２００の登録ユーザが同一であるか否かを確認するために用いられる。
【００７９】
機器特定情報及び機器状態情報については、端末装置１００が情報通信媒体３００と近距離無線通信が可能なエリア内にあり、情報通信媒体３００から所定周期で送信されるビーコン信号を受信することで情報通信媒体３００から入手する情報である。すなわち、これらの情報は、端末装置１００が情報通信媒体３００と近距離無線通信が可能なエリア内にいる場合にのみ、記憶される情報である。
【００８０】
３．サーバー装置４００のメモリ部４１４
図７は、サーバー装置４００のメモリ部４１４が記憶する情報の具体例を示す図である。図７（ａ）によると、機器２００の種別（テレビ、冷蔵庫、自動車など）ごとに、端末装置１００が情報通信媒体３００と近距離無線通信中である場合（「通信中」）と、そうでない場合（「非通信」）に応じて端末装置１００に送信する所定の情報を決定するための動作指定情報テーブルが記憶されている。
【００８１】
端末装置１００と情報通信媒体３００とが近距離無線通信中である場合（「通信中」）とそうでない場合（「非通信」）とは、サーバー装置４００の制御部４１１が、端末装置１００から端末装置１００のメモリ部１１４に記憶された機器特定情報及び／又は機器状態情報を受信したか否かに応じて判断する。すなわち、サーバー装置４００の制御部４１１は、端末装置１００から機器特定情報及び／又は機器状態情報を受信すれば、端末装置１００と情報通信媒体３００とが近距離無線通信中（「通信中」）の状態であると判断するが、受信していなければ非通信の状態であると判断する。
【００８２】
サーバー装置４００は端末装置１００からメモリ部１１４に記憶された情報を受信した際に、図７（ａ）に示す動作指定情報テーブルを参照して端末装置１００に送信する所定の情報、つまりは動作指定情報を決定する。なお、動作指定情報とは、当該情報に基づいて端末装置１００がする動作を指定する情報である。
【００８３】
本実施形態においては、端末装置１００と情報通信媒体３００とが「非通信」である場合の動作指定情報として「情報Ａ」が、端末装置１００と情報通信媒体３００とが「通信中」であってさらに機器状態情報が「電源オン」である場合の動作指定情報として「情報Ｂ」が、端末装置１００と情報通信媒体３００とが「通信中」であってさらに機器状態情報が「電源オンでない」状態である場合の動作指定情報として「情報Ｃ」が記憶されている。
【００８４】
図７（ｂ）によると、端末ユーザ情報に対応付けて様々なプロファイル情報がユーザプロファイルテーブルに記憶されている。このような情報は、図７（ａ）に示す動作指定情報テーブルを参照して端末装置１００に送信する動作指定情報を決定する際に、当該ユーザプロファイルテーブルのプロファイル情報も参照して、端末装置１００のユーザの趣向により最適な情報を決定するために参照される。また、端末装置１００から機器特定情報を受信していないときに、端末ユーザ情報に対応付けられた機器２００を特定するために利用される。
【００８５】
当該ユーザプロファイルテーブルには、図７（ａ）に示された情報の中からユーザにとって最適な情報を決定するために、端末ユーザ情報ごとに過去のサービス利用履歴、趣味情報、職業、利用中のＳＮＳなど様々な情報を加えることが可能である。
【００８６】
なお、特に図示はしないが、サーバー装置４００のメモリ部４１４には、当然に、端末装置１００から送信された端末装置１００のメモリ部１１４に記憶された情報、すなわち端末ユーザ情報、機器特定情報、機器状態情報が記憶され、その後の処理に用いられる。また、受信した機器特定情報に基づいて情報通信媒体３００に対応づけられた機器２００の種別を判断するために、機器特定情報に対応付けてその機器２００の種別（テレビ、冷蔵庫、自動車など）、機器２００のメーカー、機器２００の購入日時、機器２００のサポート期限などを記憶したテーブルを備えている。また、必要に応じて、情報通信媒体３００に付与されたＵＵＩＤなどの情報通信媒体３００を特定するための識別ＩＤと登録された機器２００との対応関係を示すテーブルも記憶される。
【００８７】
［本実施形態に係る情報管理システム１の処理シーケンス］
Ａ．端末装置１００が情報通信媒体３００に機器状態情報等の要求をしない例
図８（ａ）は、本実施形態に係る情報管理システム１の処理シーケンスのうち、端末装置１００が情報通信媒体３００に機器状態情報等の要求をしない場合の例を示すシーケンス図である。なお、図８（ａ）においては説明の便宜のため、状況Ｉ、状況ＩＩ、状況ＩＩＩの順でそれぞれシーケンスを記載するが、当然各状況の順番が前後することもあるし、同じ状況が連続的に起きることもあるし、一部の状況は起きないこともある。
【００８８】
１．状況Ｉ
ここでは状況Ｉ、すなわち端末装置１００が情報通信媒体３００と近距離無線通信が可能なエリアの外にいる状況下で行われる処理シーケンスについて説明する。
【００８９】
まず、サーバー装置４００は、端末装置１００から機器状態情報及び機器特定情報を受信したか否かを確認する。状況Ｉにおいては、端末装置１００が情報通信媒体３００と近距離無線通信が可能なエリア内にはいないので、情報通信媒体３００から機器特定情報及び機器状態情報の入手ができない。そのような場合には端末装置１００はサーバー装置４００に対して特段の情報の通信を行うことはない。したがって、サーバー装置４００はまだ機器状態情報及び機器特定情報を受信していないので、端末装置１００が情報通信媒体３００と近距離無線通信が可能なエリア内にいない、すなわち非通信の状態であると判断する（Ｓ１）。
【００９０】
そして、サーバー装置４００は、その判断の結果に基づいて、図７（ｂ）に示すユーザプロファイルテーブルを参照して、ユーザが登録している利用機器を特定し、次に機器ごとに設けられた図７（ａ）に示す動作指定情報テーブルを参照して、端末装置１００に提供する情報を決定する（Ｓ２）。ここでは、端末装置１００が情報通信媒体３００と近距離無線通信が可能なエリア内にいないので情報Ａに決定され、サーバー装置４００から端末装置１００にその決定された動作指定情報が送信される。
【００９１】
当該情報を受信した端末装置１００の制御部１１１は、その動作指定情報に基づいて端末装置１００の制御を実行する（Ｓ３）。
【００９２】
２．状況ＩＩ
ここでは、状況ＩＩ、すなわち端末装置１００が情報通信媒体３００と近距離無線通信が可能なエリア内にいる状況下で行われる処理シーケンスについて説明する。
【００９３】
まず、端末装置１００は、情報通信媒体３００と近距離無線通信が可能なエリア内に入ると、情報通信媒体３００が所定周期で送信する近距離無線信号を受信する（Ｓ７）。なお、情報通信媒体３００は、この近距離無線信号を送信するにあたり、定期的に機器２００から機器状態信号を受信することで機器２００が電源オンの状態であるか否かを確認し、その結果に応じて機器状態情報を生成し、機器特定情報に対応付けて記憶する（Ｓ４及びＳ５）。そして情報通信媒体３００は、記憶した機器状態情報と機器特定情報を近距離無線信号に含め、端末装置１００が近距離無線通信可能なエリア内にいるか否かに関わらず、所定周期で送信する。
【００９４】
上記Ｓ７のとおり、端末装置１００が当該近距離無線信号を受信すると、機器特定情報及び機器状態情報と端末ユーザ情報とを対応付けて、すなわち図６に示す情報を、サーバー装置４００に送信する。機器特定情報を含むこれら情報を受信したサーバー装置４００は、機器特定情報を含むこれら情報の受信に基づいて端末装置１００が情報通信媒体３００と近距離無線通信が可能なエリア内にいる、すなわち通信中の状態であると判断する（Ｓ８）。
【００９５】
そして、サーバー装置４００は、その判断の結果に基づいて、図７（ａ）に示す動作指定情報テーブル及び図７（ｂ）に示すユーザプロファイルテーブルを参照して、端末装置１００に提供する情報を決定する（Ｓ９）。ここでは、端末装置１００が情報通信媒体３００と近距離無線通信が可能なエリア内にいると判断されているので、動作指定情報として情報Ｂ又はＣのいずれかに決定され、決定後は端末装置１００に決定された動作指定情報が送信される。
【００９６】
当該情報を受信した端末装置１００の制御部１１１は、その動作指定情報に基づいて端末装置１００の制御を実行する（Ｓ１０）。
【００９７】
３．状況ＩＩＩ
状況ＩＩＩは、端末装置１００が情報通信媒体３００と近距離無線通信が可能なエリアの外に出てしまった場合の状況である。これは状況Ｉと全く同じ状況であるので、以降の処理Ｓ１１〜Ｓ１３に関する処理は、Ｓ１〜Ｓ３の処理と同じである。
【００９８】
Ｂ．端末装置１００が情報通信媒体３００に機器状態情報等の要求をする例
図８（ｂ）は、本実施形態に係る情報管理システム１の処理シーケンスのうち、端末装置１００が情報通信媒体３００に機器状態情報等の要求をする場合の例を示すシーケンス図である。なお、図８（ｂ）においては説明の便宜のため、状況Ｉ、状況ＩＩ、状況ＩＩＩの順でそれぞれシーケンスを記載するが、当然各状況の順番が前後することもあるし、同じ状況が連続的に起きることもあるし、一部の状況は起きないこともある。
【００９９】
１．状況Ｉ
ここでは状況Ｉ、すなわち端末装置１００が情報通信媒体３００と近距離無線通信が可能なエリア外にいる状況下で行われる処理シーケンスについて説明する。
【０１００】
まず、端末装置１００の制御部１１１は当該端末装置１００が情報通信媒体３００と近距離無線通信が可能になったか否か、すなわち情報通信媒体３００から近距離無線信号を受信したか否かを判断する通信可否判断を実施する（Ｓ１４）。状況Ｉにおいては、端末装置１００が情報通信媒体３００と近距離無線通信が可能なエリアの外にいる状況下である。したがって、端末装置１００は情報通信媒体３００に対して機器状態情報等の送信を要求することはない。また、端末装置１００は、機器状態情報等の情報を入手していないので、サーバー装置４００に対してこれらの情報を送信することもない。
【０１０１】
一方、サーバー装置４００は、まだ機器状態情報及び機器特定情報を受信していないので、端末装置１００が情報通信媒体３００と近距離無線通信が可能なエリア内にいない、すなわち非通信の状態であると判断する（Ｓ１５）。
【０１０２】
そして、サーバー装置４００は、その判断の結果に基づいて、図７（ｂ）に示すユーザプロファイルテーブルを参照して、ユーザが登録している利用機器を特定し、次に機器ごとに設けられた図７（ａ）に示す動作指定情報テーブルを参照して、端末装置１００に提供する情報を決定する（Ｓ１６）。ここでは、端末装置１００が情報通信媒体３００と近距離無線通信が可能なエリア内にいないので情報Ａに決定され、サーバー装置４００から端末装置１００にその決定された動作指定情報が送信される。
【０１０３】
当該情報を受信した端末装置１００の制御部１１１は、その動作指定情報に基づいて端末装置１００の制御を実行する（Ｓ１７）。
【０１０４】
２．状況ＩＩ
状況ＩＩは、端末装置１００が情報通信媒体３００と近距離無線通信が可能なエリア内にいる状況であるので、当該状況の下行われる処理シーケンスについて説明する。
【０１０５】
情報通信媒体３００は、端末装置１００が近くにいるか否かにかかわらず、所定周期で近距離無線信号すなわちビーコン信号を送信している（Ｓ１８）。そして、状況ＩＩにおいては、端末装置１００は情報通信媒体３００と無線通信が可能なエリア内にいるので、当該近距離無線信号を受信する。これにより、端末装置１００は情報通信媒体３００と近距離無線通信が可能になったと判断する（Ｓ１９）。そして端末装置１００は、情報通信媒体３００に対して機器特定情報等、メモリ部３１２に記憶した情報を要求する（Ｓ２０）。
【０１０６】
当該情報を受信した情報通信媒体３００は、状態取得部３１５によって機器２００の現在の状態に関する情報を取得し、機器状態情報を生成しメモリ部３１２に記憶する（Ｓ２１〜２３）。本実施形態においては、機器２００における電源オンの状態か否かを判断するための情報を機器状態信号として機器２００から受信し、当該信号に基づいて機器状態情報を生成しメモリ部３１２に記憶する。次に情報通信媒体３００は、メモリ部３１２に記憶された機器状態情報及び機器特定情報を端末装置１００に送信する。端末装置１００は、情報通信媒体３００から機器状態情報及び機器特定情報を受信すると（Ｓ２４）、機器状態情報及び機器特定情報と端末ユーザ情報とを対応付けて、すなわち図６に示す情報をサーバー装置４００に送信する。機器特定情報を含むこれら情報を受信したサーバー装置４００は、機器特定情報を含むこれらの情報の受信に基づいて端末装置１００が情報通信媒体３００と近距離無線通信が可能なエリア内にいる、すなわち通信中の状態であると判断する（Ｓ２５）。
【０１０７】
そして、サーバー装置４００は、その判断の結果に基づいて、図７（ａ）に示す動作指定情報テーブル及び図７（ｂ）に示すユーザプロファイルテーブルを参照して、端末装置１００に提供する情報を決定する（Ｓ２６）。ここでは、端末装置１００が情報通信媒体３００と近距離無線通信が可能なエリア内にいると判断されているので、動作指定情報として情報Ｂ又はＣのいずれかに決定され、決定後は端末装置１００に決定された動作指定情報が送信される。
【０１０８】
当該情報を受信した端末装置１００の制御部１１１は、その動作指定情報に基づいて端末装置１００の制御を実行する（Ｓ２７）。
【０１０９】
３．状況ＩＩＩ
状況ＩＩＩは、端末装置１００が情報通信媒体３００と近距離無線通信が可能なエリアの外に出てしまった場合の状況である。これは状況Ｉと全く同じ状況であるので、以降の処理Ｓ２８〜Ｓ３１に関する処理は、Ｓ１４〜Ｓ１７の処理と同じである。
【０１１０】
［各状況下で決定される情報Ａ〜Ｃについて］
図９は、上記処理シーケンスに記載した状況Ｉ〜ＩＩＩとサーバー装置４００によって決定される動作指定情報との対応関係を示す概念図である。
【０１１１】
まず、状況Ｉすなわち端末装置１００が情報通信媒体３００と近距離無線通信が可能なエリア外にいる場合、サーバー装置４００は、端末装置１００から機器特定情報及び機器状態情報を受信していないので、端末装置１００が情報通信媒体３００との間で近距離無線通信が可能か否かを判断した結果として「非通信」の状態であると判断する。そのような場合には、端末装置１００に送信する機器２００に関連する動作指定情報としては、情報Ａのいずれかが選択される。
【０１１２】
次に、状況ＩＩ−１すなわち端末装置１００が情報通信媒体３００と近距離無線通信が可能なエリア内にいる場合、サーバー装置４００は、端末装置１００から機器特定情報及び機器状態情報を受信しているので、端末装置１００が情報通信媒体３００との間で近距離無線通信が可能か否かを判断した結果として、「通信中」の状態であると判断する。状況ＩＩ−１においては、まだユーザは機器２００の利用を開始していないので、機器状態情報として、「電源がオンでない」という情報を受信する。このような場合には、端末装置１００に送信する機器２００に関連する動作指定情報としては、情報Ｃのいずれかが選択される。
【０１１３】
次に、状況ＩＩ−２すなわち端末装置１００が情報通信媒体３００と近距離無線通信が可能なエリア内にいる場合、サーバー装置４００は、端末装置１００から機器特定情報及び機器状態情報を受信しているので、端末装置１００が情報通信媒体３００との間で近距離無線通信が可能か否かを判断した結果として、「通信中」の状態であると判断する。状況ＩＩ−２においては、ユーザが機器２００の利用を開始したことによって、機器状態情報として「電源オン」という情報が受信される。このような場合には、端末装置１００に送信する機器２００に関連する動作指定情報としては、情報Ｂのいずれかが選択される。
【０１１４】
次に、状況ＩＩＩすなわち端末装置１００が情報通信媒体３００と近距離無線通信が可能なエリアの外に出てしまった場合は、状況Ｉと同様に、サーバー装置４００によって、端末装置１００に送信する機器２００に関連する動作指定情報としては、情報Ａのいずれかが選択される。
【０１１５】
なお、情報Ａのいずれかに決定される場合は、端末装置１００を保持するユーザが機器２００の周辺にはおらず機器２００を利用している状態ではないと仮定できる。したがって、図７（ａ）に示すように、端末装置１００を保持するユーザに機器２００の利用を促すような情報を動作指定情報として端末装置１００に送信する。例えば機器２００としてユーザがあらかじめ「テレビ」を登録していた場合には、動作指定情報として「本日のおすすめ番組情報」を送信することを決定する。なお、具体的に情報Ａに含まれるどの情報を送信するかは、図７（ｂ）に示すユーザプロファイルテーブルに基づいて決定する。
【０１１６】
情報Ｂのいずれかに決定される場合は、端末装置１００を保持するユーザが機器２００の周辺におり実際に機器２００を利用している状態であると仮定できる。したがって、図７（ａ）に示すように、「機器２００の利用に関連するアプリケーション情報」（特定のアプリケーションの利用を推奨する情報、及び／又は特定のアプリケーションを起動するためのプログラム情報）を端末装置１００に送信する。例えば、機器特定情報によって「テレビ」が特定された場合には、動作指定情報として現在視聴中の番組の感想を他ユーザと共有するためのＳＮＳアプリケーションの利用を推奨する情報とそのアプリケーションを起動するための起動プログラムや、現在視聴中の番組に連動した番組連動アプリケーションの利用を推奨する情報とそのアプリケーションを起動するための起動プログラムを端末装置１００に送信する。なお、情報Ｂに含まれるどのアプリケーションを推奨するかは、図７（ｂ）に示すユーザプロファイルテーブルに基づいて決定する。
【０１１７】
情報Ｃのいずれかに決定される場合は、端末装置１００を保持するユーザが機器２００の周辺にいるものの機器２００を利用していない状態であると仮定できる。したがって、図７（ａ）に示すように、端末装置１００を保持するユーザに機器２００のすぐの利用を促すような情報を動作指定情報として端末装置１００に送信する。例えば機器特定情報によって「テレビ」が特定された場合には、動作指定情報として「現在視聴可能な番組の詳細情報」を送信することを決定する。なお、具体的に情報Ｃに含まれるどの情報を送信するか、すなわち視聴可能などの番組の詳細情報を送信するかは、図７（ｂ）に示すユーザプロファイルテーブルに基づいて決定する。
【０１１８】
本実施形態においては、このようにサーバー装置４００は、端末装置１００が情報通信媒体３００と通信可能なエリア内にいるか否かによって、端末装置１００を保持するユーザが機器２００の近辺にいるか否かを判断している。そして、端末装置１００を保持するユーザに、特段の動作を強いることなく、サーバー装置４００はその判断を実行する。また、その判断の結果によって、その状況に応じた情報の提供を行う。したがって、サーバー装置４００は、ユーザに対して煩雑な操作を強いることなく受動的に所望の情報を提供することが可能となる。また、更に機器２００の現在の状態を監視することによって、現在の状況をより細かく判断することができ、より適切な情報の提供が可能となる。
【０１１９】
なお、本実施形態においては、ユーザプロファイルテーブルからどのように情報を決定するかを詳細に説明してはいないが、ユーザの趣向やサービス利用履歴等が記憶されたユーザプロファイルテーブルに基づいて、他の同種のユーザのプロファイル情報から推薦する情報を決定する公知の方法を用いることが可能である。
【０１２０】
［端末装置１００で実行される制御フロー］
図１０は、本実施形態に係るプログラムを実行することにより端末装置１００の制御部１１１によって行われる制御フローを示す図である。
【０１２１】
端末装置１００のメモリ部１１４に記憶された本実施形態に係るプログラムが制御部１１１によって実行されることで本制御フローはスタートする。なお本制御フローは、一定の周期で随時実行される。
【０１２２】
まず、制御部１１１は、情報通信媒体３００との間で近距離無線通信が可能なエリア内にいない場合、すなわち、情報通信媒体３００からビーコン信号である近距離無線信号を受信していない場合は（Ｓ１０１）、制御部１１１は、サーバー装置４００から機器２００に関連する動作指定情報が送信されるまで待機する。その後、制御部１１１は、サーバー装置４００から機器２００に関連する動作指定情報として情報Ａのいずれかを受信するよう制御すると（Ｓ１０２）、この受信した動作指定情報に基づく端末装置１００の制御を実行する（Ｓ１０３）。
【０１２３】
本実施形態においては、図７（ｂ）に示すユーザプロファイルテーブルから、端末ユーザＢ１の利用登録機器が「テレビ」と登録されているので、制御部１１１は、動作指定情報として情報Ａの中から決定された本日のおすすめ番組情報のいずれかを表示部１１３に表示するよう制御する。
【０１２４】
一方、制御部１１１は、Ｓ１０１において、情報通信媒体３００との間で近距離無線通信なエリア内にいる場合、すなわち情報通信媒体３００から近距離無線信号を受信した場合は（Ｓ１０１）、受信した近距離無線信号内に含まれる機器特定情報及び機器状態情報をメモリ部１１４に記憶するよう制御する（Ｓ１０５及びＳ１０６）。
【０１２５】
なお、Ｓ１０１で受信した近距離無線信号内に機器特定情報及び機器状態情報が含まれていないような場合には、制御部１１１は、情報通信媒体３００に対してそれら情報を送信するよう要求を行う（Ｓ１０４）。当該要求後、情報通信媒体３００からこれら情報を受信すると、制御部１１１は、メモリ部１１４に受信した情報を記憶するよう制御する（Ｓ１０５及びＳ１０６）。
【０１２６】
その後、サーバー装置４００に対して、受信した機器特定情報及び機器状態情報を端末ユーザ情報に対応付けて、すなわち図６に示す情報を送信する（Ｓ１０７）。そして、機器状態情報が機器２００の電源オンの状態を示す情報である場合には、制御部１１１は、サーバー装置４００から機器２００に関連する動作指定情報として情報Ｂのいずれかを受信するよう制御する（Ｓ１０８及びＳ１０９）。そして、制御部１１１は、この受信した動作指定情報に基づく端末装置１００の制御を実行する（Ｓ１１０）。
【０１２７】
本実施形態においては、機器特定情報によって機器２００が「テレビ」であることが特定されるので、決定された情報Ｂのいずれかの動作指定情報に基づいて、制御部１１１は端末装置１００の制御を行う。一例としては、制御部１１１は、現在視聴中の番組の感想を他ユーザと共有するためのＳＮＳアプリケーションの利用を推奨する情報を表示部１１３に表示するように制御した後、そのＳＮＳアプリケーションを起動するための起動プログラムにしたがって当該アプリケーションを起動するよう制御する。また、他の例としては、制御部１１１は、現在視聴中の番組に連動した番組連動アプリケーションの利用を推奨する情報を表示部１１３に表示するように制御した後、そのアプリケーションを起動するための起動プログラムにしたがって当該アプリケーションを起動するよう制御する。
【０１２８】
また、機器状態情報が機器２００の電源オンの状態を示す情報ではない場合には、制御部１１１は、サーバー装置４００から機器２００に関連する動作指定情報として情報Ｃのいずれかを受信するよう制御する（Ｓ１０８及びＳ１１１）。そして、制御部１１１は、この受信した動作指定情報に基づく端末装置１００の制御を実行する（Ｓ１１２）。
【０１２９】
本実施形態においては、機器特定情報によって機器２００が「テレビ」であることが特定されているので、動作指定情報として情報Ｃの中から決定された現在視聴可能な番組の詳細情報を表示部１１３に表示するよう制御する。
【０１３０】
［サーバー装置４００で実行される制御フロー］
図１１は、本実施形態に係る情報管理システム１のためのプログラムをサーバー装置４００において実行することにより、サーバー装置４００の制御部４１１によって行われる制御フローを示す図である。
【０１３１】
まず、サーバー装置４００の制御部４１１は、端末装置１００から機器特定情報を含む図６に例示する情報を受信したか否かを判断する（Ｓ２０１）。そして、制御部４１１は、当該情報を受信していない場合には、端末装置１００が情報通信媒体３００と近距離無線通信可能なエリア内にいない、すなわち非通信の状態であると判断する（Ｓ２０２）。次に、制御部４１１は、図７（ａ）に示す動作指定情報テーブルと、図７（ｂ）に示すユーザプロファイルテーブルを参照して、端末装置１００に送信する動作指定情報として、情報Ａのいずれかを決定する（Ｓ２０３〜Ｓ２０５）。そして、決定された動作指定情報を端末装置１００に対して送信し（Ｓ２０６）、当該プログラムの次の実行のタイミングまで待機する。
【０１３２】
一方、制御部４１１は、Ｓ２０１において端末装置１００から機器特定情報を含む図６に例示する情報を受信したと判断した場合には、当該情報をメモリ部４１４に記憶するよう制御する。そして、端末装置１００が情報通信媒体３００と近距離無線通信可能なエリア内にいる、すなわち通信中の状態であると判断する（Ｓ２０７）。次に、Ｓ２０８において、受信した情報のうち機器状態情報に基づいて機器２００の電源がオン状態であるか否かを確認する（Ｓ２０８）。その後、機器２００の電源がオンの状態であると判断した場合には、制御部４１１は、図７（ａ）に示す動作指定情報テーブルと、図７（ｂ）に示すユーザプロファイルテーブルを参照して、端末装置１００に送信する動作指定情報として、情報Ｂのいずれかを決定する（Ｓ２０９〜Ｓ２１１）。そして、決定された動作指定情報を端末装置１００に対して送信し（Ｓ２１２）、当該プログラムの次の実行タイミングまで待機する。
【０１３３】
また、制御部４１１は、Ｓ２０８において、機器２００の電源がオンの状態ではないと判断した場合には、制御部４１１は、図７（ａ）に示す動作指定情報テーブルと、図７（ｂ）に示すユーザプロファイルテーブルを参照して、端末装置１００に送信する動作指定情報として、情報Ｃのいずれかを決定する（Ｓ２１３〜Ｓ２１５）。そして、決定された動作指定情報を端末装置１００に対して送信し（Ｓ２１６）、当該プログラムの次の実行タイミングまで待機する。
【０１３４】
上記のとおり、本実施形態においては、サーバー装置４００は、端末装置１００が情報通信媒体３００と通信可能なエリア内にいるか否かによって、端末装置１００を保持するユーザが機器２００の近辺にいるか否かを判断している。特に情報通信媒体３００との通信において、Ｂｌｕｅｔｏｏｔｈ  ＬＥなどの信号出力範囲が１ｍを越えるような近距離無線通信方式を採用することにより、端末装置１００を保持するユーザに、アプリケーションの起動後は特定の動作を強いることなく、サーバー装置４００におけるその判断を実行する。そして、その判断の結果によって、その状況に応じた情報の提供が可能となる。すなわち、サーバー装置４００は、ユーザに対して煩雑な操作を強いることなく受動的に所望の情報を提供することが可能となる。
【０１３５】
また、機器２００の現在の状態を監視することによって、現在の状況をより細かく判断することができ、より適切な情報の提供が可能となる。また、これらの情報に加えてユーザプロファイルテーブルの情報も加味することによって、ユーザの嗜好をよりよく反映した情報の提供が可能となる。
【０１３６】
＜第２実施形態＞
本発明の第２実施形態について説明する。なお、上記第１実施形態に係る端末装置１００と同じ機能を果たすものについては、説明を省略する。また、第１実施形態、及び以下で説明する第２実施形態は、適宜それらの一部又は全部を組み合わせることが可能である。
【０１３７】
［第２実施形態の概要］
第１実施形態に係る情報管理システム１においては、機器状態情報が端末装置１００を介してサーバー装置４００に送信される形態について説明した。第２実施形態に係る情報管理システム１０００においては、機器１２００がネットワークを介してサーバー装置１４００及び／又は端末装置１１００と通信可能に接続されることによって、情報通信媒体１３００を介することなく、機器状態情報をサーバー装置１４００に送信することが可能となる。さらに、サーバー装置１４００から機器１２００に対しても端末装置１１００等を介することなく動作指定情報を送信することが可能となる。
【０１３８】
なお、第２実施形態に係る情報管理システム１０００に含まれる端末装置１１００、機器１２００、情報通信媒体１３００、サーバー装置１４００が備える各構成要素は、図２〜図５に示すものと「状態取得部」を除いて同じである。したがって、以下の説明では、第２実施形態に係る端末装置１１００、機器１２００、情報通信媒体１３００、サーバー装置１４００の各構成要素を用いて説明する際であっても、図２〜図５に記載の参照符号を用いて説明する。
【０１３９】
図１２は、本実施形態に係る端末装置１１００を含む情報管理システム１０００の構成を示す構成図である。この情報管理システム１０００は、端末装置１１００と、情報通信媒体１３００とあらかじめ対応付けられた機器１２００と、機器１２００にあらかじめ対応付けられると共に端末装置１１００と近距離無線通信を行う情報通信媒体１３００と、遠隔に設置され端末装置１１００及び機器１２００と無線通信により接続されたサーバー装置１４００とから構成されている。
【０１４０】
［端末装置１１００及びサーバー装置１４００の構成］
端末装置１１００及びサーバー装置１４００の構成は、第１実施形態において図２及び図４で説明する構成と同じであるので、各構成要素の説明は省略する。
【０１４１】
［機器１２００の構成］
図１３は、図１２に示した情報管理システム１０００に含まれる機器１２００及び情報通信媒体１３００の構成を示すブロック図である。第１実施形態に係る機器２００との相違点は、機器１２００が状態取得部１２２０を備える点である。その他の構成要素は第１実施形態にかかる機器２００と同じであるので、各構成要素の説明は省略する。
【０１４２】
状態取得部１２２０は、制御部２１１の制御によって、機器１２００の現在の状態を取得する。状態取得部１２２０によって取得される状態の例としては、第１実施形態と同様に、機器１２００の電源のオンの状態を取得することが可能である。また、第１実施形態と比較してより詳細で細かな情報を送信することも可能である。例えば、電源のオンの状態に関する情報に加えて、現在視聴されているＴＶ番組情報、機器１２００において現在実行されているアプリケーションに関する情報を一緒に取得することもできる。ここで取得された機器状態情報は、無線通信処理部２１８及びアンテナ２１９を介してサーバー装置１４００に送信される。
【０１４３】
なお、サーバー装置１４００への機器状態情報の送信は、サーバー装置１４００からの要求を受けて、機器１２００から直接サーバー装置１４００へ送信することも可能であるし、機器１２００から一旦端末装置１１００に送信した後、端末装置１１００からサーバー装置１４００に送信することも可能である。
【０１４４】
また、本実施形態においては、機器１２００は、上記のとおりサーバー装置１４００と無線通信可能に接続されているが、当然有線ケーブルによる接続を行い、無線通信と同様にサーバー装置１４００及び／又は端末装置１１００との間で所定の情報の送受信を行うことも可能である。したがって、本実施形態においては、無線通信処理部２１８に加えて、有線通信処理部（図示しない）も備え、無線通信処理部２１８と有線通信処理部とで通信処理部（図示しない）を形成する。
【０１４５】
さらに、制御部２１１は、所定の情報として動作指定情報をサーバー装置１４００から受信した場合には、その情報に基づいて機器１２００を制御する。すなわち、動作指定情報に基づいて、表示部２１３を制御したり、電源管理部（図示しない）を制御する。
【０１４６】
［情報通信媒体１３００の構成］
引き続き図１３を参照して情報通信媒体１３００の構成について説明する。本実施形態に係る情報通信媒体１３００においては、状態取得部を備えていない。したがって、その他の点においては、第１実施形態の情報通信媒体３００と同じであるので、個々の構成要素の説明は省略する。
【０１４７】
［各メモリ部に記憶される情報］
図１４は、情報通信媒体１３００のメモリ部３１２が記憶する情報の具体例を示す図である。第１実施形態とは異なり、状態取得部１２２０によって取得された機器状態情報は機器１２００から情報通信媒体１３００を介することなくサーバー装置１４００に送信されるので、当該メモリ部３１２に機器状態情報は記憶されない。したがって、機器特定情報が記憶される。
【０１４８】
図１５は、端末装置１１００のメモリ部１１４が記憶する情報の具体例を示す図である。第１実施形態とは異なり、機器状態情報は機器１２００から情報通信媒体１３００を介することなくサーバー装置１４００に送信されるので、当該メモリ部３１２に機器状態情報は記憶されない。したがって、端末ユーザ情報に対応づけて機器特定情報が記憶される。
【０１４９】
図１６は、サーバー装置１４００のメモリ部４１４が記憶する情報の具体例を示す図である。図１６は、動作指定情報テーブルの例を示す。本実施形態においては、サーバー装置１４００から機器１２００にも所定の情報を送信することが可能である。したがって、動作指定情報は、端末装置１１００及び機器１２００の少なくとも一方に送信される。
【０１５０】
また、当該動作指定情報テーブルにおいては、端末装置１１００が情報通信媒体１３００と近距離無線通信可能なエリア内にいない、すなわち「非通信」の場合であっても機器１２００から機器状態情報を入手可能なので、動作指定情報として情報Ｄが追加されている。なお、サーバー装置１４００に記憶されるユーザプロファイルテーブルや他の記憶情報については、入手経路の違いはあるものの、第１実施形態と同様であるので、ここでは説明を省略する。
【０１５１】
［本実施形態に係る情報管理システム１０００の処理シーケンス］
Ａ．端末装置１１００が情報通信媒体１３００に機器特定情報の要求をしない例
図１７（ａ）は、第２実施形態に係る情報管理システム１０００の処理シーケンスのうち、端末装置１１００が情報通信媒体１３００に機器状態情報等の要求をしない場合の例を示すシーケンス図である。なお、図１７（ａ）においては説明の便宜のため、状況Ｉ、状況ＩＩ、状況ＩＩＩの順でそれぞれシーケンスを記載するが、当然各状況の順番が前後することもあるし、同じ状況が連続的に起きることもあるし、一部の状況は起きないこともある。
【０１５２】
１．状況Ｉ
ここでは状況Ｉ、すなわち端末装置１１００が情報通信媒体１３００と近距離無線通信が可能なエリアの外にいる状況下で行われる処理シーケンスについて説明する。
【０１５３】
まず、サーバー装置１４００は、端末装置１１００から機器特定情報等を受信したか否かを確認する。状況Ｉにおいて、端末装置１１００が情報通信媒体１３００と近距離無線通信が可能なエリア内にはいないので、情報通信媒体１３００から機器特定情報を入手できない。そのような場合には端末装置１１００はサーバー装置１４００に対して特段の情報の通信を行うことはない。したがって、上記確認の結果、サーバー装置１４００は機器特定情報等を受信していないので、端末装置１１００が情報通信媒体１３００と近距離無線通信が可能なエリア内にいない、すなわち非通信の状態であると判断する（Ｓ１００１）。
【０１５４】
そして、次にサーバー装置１４００は機器１２００に対して、直接又は端末装置１１００を介して、機器１２００の機器状態情報を送信するように要求するため、機器状態情報要求信号を送信する。機器１２００の電源がオンの状態である場合には、当該要求を受信したのち生成した自身の機器状態情報をサーバー装置１４００に送信する。一方、状況Ｉにおいては、機器１２００は電源がオンの状態ではないので、その要求に対する応答がなされない。したがって、サーバー装置１４００は、機器状態情報要求信号に対する応答を機器１２００から受信しないので、機器１２００の電源がオンの状態ではないと判断し、動作指示情報テーブル及びユーザプロファイルテーブルに基づいて端末装置１１００に提供する情報を決定する（Ｓ１００２）。ここでは、端末装置１１００が情報通信媒体１３００と近距離無線通信が可能なエリア内におらず、かつ機器１２００の電源がオンの状態ではないので、動作指定情報が情報Ａに決定され、サーバー装置１４００から端末装置１１００にその決定された動作指定情報が送信される。
【０１５５】
当該情報を受信した端末装置１１００の制御部１１１は、その動作指定情報に基づいて端末装置１１００の制御を実行する（Ｓ１００３）。
【０１５６】
２．状況ＩＩ
ここでは、状況ＩＩ、すなわち端末装置１１００が情報通信媒体１３００と近距離無線通信が可能なエリア内にいる状況下で行われる処理シーケンスについて説明する。
【０１５７】
まず、端末装置１１００は、情報通信媒体１３００と近距離無線通信が可能なエリア内に入ると、情報通信媒体１３００が所定周期で送信する機器特定情報を含む近距離無線信号を受信する（Ｓ１００４及びＳ１００５）。そして端末装置１１００は、近距離無線信号に含まれる機器特定情報と端末ユーザ情報をサーバー装置１４００に送信する。
【０１５８】
機器特定情報等を受信したサーバー装置１４００は、これらの情報の受信に基づいて端末装置１１００が情報通信媒体１３００と近距離無線通信が可能なエリア内にいる、すなわち通信中の状態であると判断する（Ｓ１００６）。次に、サーバー装置１４００は、機器特定情報によって特定される機器１２００に対して、直接又は端末装置１１００を介して、機器状態情報要求を送信する。
【０１５９】
機器１２００の電源がオンの状態である場合には、当該要求を受信したのち生成した自身の機器状態情報として、電源がオンの状態であることを示す情報を、直接又は端末装置１１００を介して、サーバー装置１４００に送信する（Ｓ１００７）。一方、機器１２００は電源がオンの状態ではない場合は、その要求に対する応答がなされない。したがって、サーバー装置１４００は、機器状態情報要求信号に対する応答を機器１２００から受信することはないので、その場合は機器１２００の電源がオンの状態ではないと判断する。
【０１６０】
サーバー装置１４００は、図１６に示す動作指定情報テーブル及び図７（ｂ）に示すユーザプロファイルテーブルを参照して、端末装置１１００に提供する情報を決定する（Ｓ１００８）。ここでは、端末装置１１００が情報通信媒体１３００と近距離無線通信が可能なエリア内にいると判断されているので、機器１２００が電源オンの状態であるか否かに応じて、動作指定情報として情報Ｂ又はＣのいずれかに決定される。決定された動作指定情報は端末装置１１００及び機器１２００の少なくともいずれか一方に送信される。
【０１６１】
当該情報を受信した端末装置１１００の制御部１１１は、その動作指定情報に基づいて端末装置１１００の制御を実行する（Ｓ１００９−１）。また、当該情報を受信した機器１２００の制御部２１１は、その動作指定情報に基づいて機器１２００を制御する（Ｓ１００９−２）。
【０１６２】
３．状況ＩＩＩ
ここでは状況ＩＩＩ、すなわち端末装置１１００が情報通信媒体１３００と近距離無線通信が可能なエリアの外に再度出た状況下で行われる処理シーケンスについて説明する。
【０１６３】
Ｓ１０１０及び機器状態情報要求の送信は、状況Ｉの場合と同じであるので説明を省略する。機器状態情報の要求を受けた機器１２００は、電源がオンの状態である場合には、当該要求を受信したのち生成した自身の機器状態情報として、電源がオンの状態であることを示す情報を、直接又は端末装置１１００を介して、サーバー装置１４００に送信する（Ｓ１０１１）。一方、機器１２００は電源がオンの状態ではない場合は、その要求に対する応答がなされない。したがって、サーバー装置１４００は、機器状態情報要求信号に対する応答を機器１２００から受信することはないので、その場合は機器１２００の電源がオンの状態ではないと判断する。
【０１６４】
サーバー装置１４００は、図１６に示す動作指定情報テーブル及び図７（ｂ）に示すユーザプロファイルテーブルを参照して、端末装置１１００に提供する情報を決定する（Ｓ１０１２）。ここでは、端末装置１１００が情報通信媒体１３００と近距離無線通信が可能なエリア内にいないと判断されているので、機器１２００が電源オンの状態であるか否かに応じて、動作指定情報として情報Ａ又はＤのいずれかに決定される。決定された動作指定情報は端末装置１１００及び機器１２００の少なくともいずれか一方に送信される。
【０１６５】
当該情報を受信した端末装置１１００の制御部１１１は、その動作指定情報に基づいて端末装置１１００の制御を実行する（Ｓ１０１３−１）。また、当該情報を受信した機器１２００の制御部２１１は、その動作指定情報に基づいて機器１２００を制御する（Ｓ１０１３−２）。
【０１６６】
Ｂ．端末装置１１００が情報通信媒体１３００に機器特定情報の要求をする例
図１７（ｂ）は、第２実施形態に係る情報管理システム１０００の処理シーケンスのうち、端末装置１１００が情報通信媒体１３００に機器状態情報等の要求をする場合の例を示すシーケンス図である。なお、図１７（ｂ）においては説明の便宜のため、状況Ｉ、状況ＩＩ、状況ＩＩＩの順でそれぞれシーケンスを記載するが、当然各状況の順番が前後することもあるし、同じ状況が連続的に起きることもあるし、一部の状況は起きないこともある。
【０１６７】
１．状況Ｉ
ここでは状況Ｉ、すなわち端末装置１１００が情報通信媒体１３００と近距離無線通信が可能なエリアの外にいる状況下で行われる処理シーケンスについて説明する。
【０１６８】
まず、端末装置１１００の制御部１１１は当該端末装置１１００が情報通信媒体１３００と近距離無線通信が可能になったか否か、すなわち情報通信媒体１３００から近距離無線信号を受信したか否かを判断する通信可否判断を実施する（Ｓ１０１４）。状況Ｉにおいては、端末装置１１００が情報通信媒体１３００と近距離無線通信が可能なエリアの外にいる状況下である。したがって、端末装置１１００は情報通信媒体１３００に対して機器特定情報の送信を要求することはない。また、端末装置１１００は、機器特定情報を入手していないので、サーバー装置１４００に対して当該情報及び端末ユーザ情報を送信することもない。
【０１６９】
よって、サーバー装置１４００は、まだ機器特定情報及び端末ユーザ情報を受信していないので、端末装置１１００が情報通信媒体１３００と近距離無線通信が可能なエリア内にいない、すなわち非通信の状態であると判断する（Ｓ１０１５）。
【０１７０】
そして、サーバー装置１４００は機器１２００に対して、直接又は端末装置１１００を介して、機器１２００の機器状態情報を送信するように要求するため、機器状態情報要求信号を送信する。機器１２００の電源がオンの状態である場合には、機器１２００は当該要求を受信したのち生成した自身の機器状態情報をサーバー装置１４００に送信する。一方、状況Ｉにおいては、機器１２００は電源がオンの状態ではないので、その要求に対する応答がなされない。したがって、サーバー装置１４００は、機器状態情報要求信号に対する応答を機器１２００から受信しないので、機器１２００の電源がオンの状態ではないと判断し、動作指示情報テーブル及びユーザプロファイルテーブルに基づいて端末装置１１００に提供する情報を決定する（Ｓ１０１６）。ここでは、端末装置１１００が情報通信媒体１３００と近距離無線通信が可能なエリア内におらず、かつ機器１２００の電源がオンの状態ではないので情報Ａに決定され、サーバー装置１４００から端末装置１１００にその決定された動作指定情報が送信される。
【０１７１】
当該情報を受信した端末装置１１００の制御部１１１は、その動作指定情報に基づいて端末装置１１００の制御を実行する（Ｓ１０１７）。
【０１７２】
２．状況ＩＩ
状況ＩＩは、端末装置１１００が情報通信媒体１３００と近距離無線通信が可能なエリア内にいる状況であるので、当該状況の下行われる処理シーケンスについて説明する。
【０１７３】
情報通信媒体１３００は、端末装置１１００が近くにいるか否かにかかわらず、所定周期で近距離無線信号すなわちビーコン信号を送信している（Ｓ１０１８）。そして、状況ＩＩにおいては、端末装置１１００は情報通信媒体１３００と近距離無線通信が可能なエリア内にいるので、当該近距離無線信号を受信する。これにより、端末装置１１００は情報通信媒体１３００と近距離無線通信が可能になったと判断する（Ｓ１０１９）。そして端末装置１１００は、情報通信媒体１３００に対して機器特定情報を要求する（Ｓ１０２０）。
【０１７４】
当該情報を受信した情報通信媒体１３００は、メモリ部３１２に記憶された機器特定情報を送信する（Ｓ１０２１）。
【０１７５】
端末装置１１００は、情報通信媒体１３００から機器特定情報を受信するとメモリ部１１４に端末ユーザ情報に対応づけて記憶する（Ｓ１０２２）。その後、図１５に示す機器特定情報と端末ユーザ情報がサーバー装置１４００に送信される。
【０１７６】
機器特定情報と端末ユーザ情報を受信したサーバー装置１４００は、これらの情報の受信に基づいて端末装置１１００が情報通信媒体１３００と近距離無線通信が可能なエリア内にいる、すなわち通信中の状態であると判断する（Ｓ１０２３）。次に、サーバー装置１４００は、機器特定情報によって特定される機器１２００に対して、直接又は端末装置１１００を介して、機器状態情報要求を送信する。
【０１７７】
機器１２００の電源がオンの状態である場合には、当該要求を受信したのち生成した自身の機器状態情報として、電源がオンの状態であることを示す情報を、直接又は端末装置１１００を介して、サーバー装置１４００に送信する（Ｓ１０２４）。一方、機器１２００は電源がオンの状態ではない場合は、その要求に対する応答がなされない。したがって、サーバー装置１４００は、機器状態情報要求信号に対する応答を機器１２００から受信することはないので、その場合は機器１２００の電源がオンの状態ではないと判断する。
【０１７８】
サーバー装置１４００は、図１６に示す動作指定情報テーブル及び図７（ｂ）に示すユーザプロファイルテーブルを参照して、端末装置１１００に提供する情報を決定する（Ｓ１０２５）。ここでは、端末装置１１００が情報通信媒体１３００と近距離無線通信が可能なエリア内にいると判断されているので、機器１２００が電源オンの状態であるか否かに応じて、動作指定情報として情報Ｂ又はＣのいずれかに決定される。決定された動作指定情報は端末装置１１００及び機器１２００の少なくともいずれか一方に送信される。
【０１７９】
当該情報を受信した端末装置１１００の制御部１１１は、その動作指定情報に基づいて端末装置１１００の制御を実行する（Ｓ１０２６−１）。また、当該情報を受信した機器１２００の制御部２１１は、その動作指定情報に基づいて機器１２００を制御する（Ｓ１０２６−２）。
【０１８０】
３．状況ＩＩＩ
ここでは状況ＩＩＩ、すなわち端末装置１１００が情報通信媒体１３００と近距離無線通信が可能なエリアの外に再度出た状況下で行われる処理シーケンスについて説明する。
【０１８１】
Ｓ１０２７の端末装置１１００による通信可否判断、及びＳ１０２８のサーバー装置１４００による端末装置が通信中であるか非通信であるかの判断は、Ｓ１０１４及びＳ１０１５と同様であるので、説明を省略する。機器状態情報の要求を受けた機器１２００は、電源がオンの状態である場合には、当該要求を受信したのち生成した自身の機器状態情報として、電源がオンの状態であることを示す情報を、直接又は端末装置１１００を介して、サーバー装置１４００に送信する（Ｓ１０２９）。一方、機器１２００は電源がオンの状態ではない場合は、その要求に対する応答がなされない。したがって、サーバー装置１４００は、機器状態情報要求信号に対する応答を機器１２００から受信することはないので、その場合は機器１２００の電源がオンの状態ではないと判断する。
【０１８２】
サーバー装置１４００は、図１６に示す動作指定情報テーブル及び図７（ｂ）に示すユーザプロファイルテーブルを参照して、端末装置１１００に提供する情報を決定する（Ｓ１０３０）。ここでは、端末装置１１００が情報通信媒体１３００と近距離無線通信が可能なエリア内にいないと判断されているので、機器１２００が電源オンの状態であるか否かに応じて、動作指定情報として情報Ａ又はＤのいずれかに決定される。決定された動作指定情報は端末装置１１００及び機器１２００の少なくともいずれか一方に送信される。
【０１８３】
当該情報を受信した端末装置１１００の制御部１１１は、その動作指定情報に基づいて端末装置１１００の制御を実行する（Ｓ１０３１−１）。また、当該情報を受信した機器１２００の制御部２１１は、その動作指定情報に基づいて機器１２００を制御する（Ｓ１０３１−２）。
【０１８４】
［各状況下で決定される情報Ａ〜Ｄについて］
図１８は、上記処理シーケンスに記載した状況Ｉ〜ＩＩＩとサーバー装置１４００によって決定される動作指定情報の対応関係を示す概念図である。なお、本実施形態においては、上記のとおり、機器状態情報が、機器１２００から直接又は端末装置１１００を介して、サーバー装置１４００に送信されるので、端末装置１１００が情報通信媒体１３００と通信ができなくても機器状態情報を入手することが可能である。また、機器１２００はサーバー装置１４００から動作指定情報を入手可能であるので、当該動作指定情報は機器１２００に対しても送信される。
【０１８５】
まず、状況Ｉ、ＩＩ−１、ＩＩ−２については、第１実施形態と同様であるので、詳細な説明は省略する。
【０１８６】
状況ＩＩＩ−１、すなわち端末装置１１００が情報通信媒体１３００と近距離無線通信が可能なエリアの外にいる場合、サーバー装置１４００は、端末装置１１００から機器特定情報を受信していないので、端末装置１１００が情報通信媒体１３００との間で近距離無線通信が可能か否かを判断した結果として「非通信」の状態であると判断する。状況ＩＩＩ−１においては、サーバー装置１４００は、機器１２００から機器状態情報として「電源オン」を受信しているので、このような場合には、動作指定情報として情報Ｄのいずれかが選択される。
【０１８７】
一方、状況ＩＩＩ−２、すなわち端末装置１１００が情報通信媒体１３００と近距離無線通信が可能なエリアの外にいる場合、サーバー装置１４００は、端末装置１１００から機器特定情報を受信していないので、端末装置１１００が情報通信媒体１３００との間で近距離無線通信が可能か否かを判断した結果として「非通信」の状態であると判断する。状況ＩＩＩ−２においては、サーバー装置１４００は、機器１２００から機器状態情報を受信しておらず電源がオンの状態ではないと判断されるので、このような場合には、動作指定情報として情報Ａのいずれかが選択される。
【０１８８】
なお、情報Ａ〜Ｃについては、以下の点を除いて、第１実施形態と同様である。本実施形態においては、機器１２００に対してもサーバー装置１４００から動作指定情報を送信することが可能である。したがって、状況ＩＩ−１では端末装置１１００を保持するユーザが機器１２００の近くにいるにもかかわらず機器１２００を利用していないことが想定されるので、情報Ｃの動作指定情報として、機器１２００に対して電源をオンにするための電源オン指令情報を送信する。また、状況ＩＩ−２では端末装置１１００を保持するユーザが機器１２００を実際に利用していることが想定される。そして、機器状態情報を参照してお勧め番組以外を見ているような場合には、機器１２００に対して強制的にお勧め番組にチャンネルを変更するチャンネル切替指令を機器１２００に対して情報Ｂの動作指定情報として送信する。
【０１８９】
また、情報Ｄのいずれかに決定される場合は、端末装置１１００を保持するユーザが機器１２００の周辺にいないにもかかわらず機器１２００の電源がついている状態と仮定できる。このような場合は、端末装置１１００を保持するユーザによる機器１２００の電源消し忘れや、当該ユーザ以外のユーザが機器１２００の電源をオンにしていることが想定される。具体的には、本実施形態に係る情報管理システムに加入する他のユーザ（ユーザＸ、Ｙ）が当該システムに基づいて機器１２００を使用しているような場合は、その旨を端末装置１１００に表示するよう情報Ｄの動作指定情報を送信する。一方で、誰も機器１２００を利用しておらず機器１２００の電源の消し忘れが想定される場合には、端末装置１１００に対して電源消し忘れ情報を、機器１２００に対して電源を強制的にオフ（スタンバイ状態）にする電源オフ指令情報を、情報Ｄの動作指定情報として送信することも可能である。
【０１９０】
［端末装置１１００で実行される制御フロー］
図１９は、本実施形態に係るプログラムを実行することにより端末装置１１００の制御部１１１によって行われる制御フローを示す図である。
【０１９１】
端末装置１１００のメモリ部１１４に記憶された本実施形態に係るプログラムが制御部１１１によって実行されることにより、本制御フローはスタートする。なお本制御フローは、一定の周期で随時実行される。
【０１９２】
まず、制御部１１１は、情報通信媒体１３００との間で近距離無線通信が可能なエリア内にいない場合、すなわち、情報通信媒体１３００からビーコン信号である近距離無線信号を受信していない場合は（Ｓ１１０１）、サーバー装置１４００から機器１２００に関連する動作指定情報が送信されるまで待機する。このときサーバー装置１４００において、機器状態情報を受信しておらず機器１２００の電源がオンの状態ではないと判断された場合には（Ｓ１１０２）、制御部１１１は、サーバー装置１４００から動作指定情報として情報Ａのいずれかを受信するよう制御する（Ｓ１１０３）。そして、制御部１１１は、この受信した動作指定情報に基づく端末装置１１００の制御を実行する（Ｓ１１０４）。
【０１９３】
本実施形態においては、図７（ｂ）に示すユーザプロファイルテーブルから、端末ユーザＢ１の利用登録機器が「テレビ」と登録されているので、制御部１１１は、動作指定情報として情報Ａの中から選択された本日のおすすめ番組情報のいずれかを表示部１１３に表示するよう制御する。
【０１９４】
一方、このときサーバー装置１４００において機器状態情報を受信し機器１２００の電源がオンの状態であると判断された場合には（Ｓ１１０２）、制御部１１１は、サーバー装置１４００から動作指定情報として情報Ｄのいずれかを受信するよう制御する（Ｓ１１０５）。そして、制御部１１１は、この受信した動作指定情報に基づく端末装置１１００の制御を実行する（Ｓ１１０６）。
【０１９５】
本実施形態においては、図７（ｂ）に示すユーザプロファイルテーブルから、端末ユーザＢ１の利用登録機器が「テレビ」と登録されているので、制御部１１１は、動作指定情報として情報Ｄの中から選択されたいずれかの情報を表示部１１３に表示するよう制御する。
【０１９６】
次に、制御部１１１は、Ｓ１１０１において、情報通信媒体１３００との間で近距離無線通信が可能なエリア内にいる場合、すなわち情報通信媒体１３００から近距離無線信号を受信した場合は（Ｓ１１０１）、受信した近距離無線信号内に含まれる機器特定情報をメモリ１１４に記憶するよう制御する（Ｓ１１０８）。
【０１９７】
なお、Ｓ１１０１で受信した近距離無線信号内に機器特定情報が含まれていないような場合には、制御部１１１は、情報通信媒体１３００に対してそれら情報を送信するよう要求を行う（Ｓ１１０７）。当該要求後、情報通信媒体１３００からこれら情報を受信すると、制御部１１１は、メモリ部１１４に受信した情報を記憶するよう制御する（Ｓ１１０８）。
【０１９８】
その後、サーバー装置１４００に対して、図１５に示す機器特定情報及び端末ユーザ情報を送信する（Ｓ１１０９）。そして、サーバー装置１４００において機器状態情報を受信し機器１２００の電源がオンの状態であると判断された場合には（Ｓ１１１０）、制御部１１１は、サーバー装置１４００から動作指定情報として情報Ｂのいずれかを受信するよう制御する（Ｓ１１１１）。そして、制御部１１１は、この受信した動作指定情報に基づく端末装置１１００の制御を実行する（Ｓ１１１２）。
【０１９９】
本実施形態においては、機器特定情報によって機器１２００が「テレビ」であることが特定されるので、決定された情報Ｂのいずれかの動作指定情報に基づいて、制御部１１１は端末装置１１００の制御を行う。一例としては、制御部１１１は、現在視聴中の番組の感想を他ユーザと共有するためのＳＮＳアプリケーションの利用を推奨する情報を表示部１１３に表示するように制御した後、そのＳＮＳアプリケーションを起動するための起動プログラムにしたがって当該アプリケーションを起動するよう制御する。また、他の例としては、制御部１１１は、現在視聴中の番組に連動した番組連動アプリケーションの利用を推奨する情報を表示部１１３に表示するように制御した後、そのアプリケーションを起動するための起動プログラムにしたがって当該アプリケーションを起動するよう制御する。
【０２００】
また、このときサーバー装置１４００において機器状態情報を受信しておらず、機器１２００の電源がオンの状態ではないと判断された場合には（Ｓ１１１０）、制御部１１１は、サーバー装置１４００から動作指定情報として情報Ｃのいずれかを受信するよう制御する（Ｓ１１１３）。そして、制御部１１１は、この受信した動作指定情報に基づく端末装置１１００の制御を実行する（Ｓ１１１４）。
【０２０１】
本実施形態においては、機器特定情報によって機器１２００が「テレビ」であることが特定されるので、動作指定情報として情報Ｃの中から決定された現在視聴可能な番組の詳細情報を表示部１１３に表示するよう制御する。
【０２０２】
［サーバー装置１４００で実行される制御フロー］
図２０は、本実施形態に係る情報管理システム１０００のためのプログラムをサーバー装置１４００において実行することにより、サーバー装置１４００の制御部４１１によって行われる制御フローを示す図である。
【０２０３】
まず、サーバー装置１４００の制御部４１１は、端末装置１１００から機器特定情報を含む図１５に例示する情報を受信したか否かを判断する（Ｓ１２０１）。そして、制御部４１１は、当該情報を受信していない場合には、端末装置１１００が情報通信媒体１３００と近距離無線通信可能なエリア内にいない、すなわち非通信の状態であると判断する（Ｓ１２０２）。次に、制御部４１１は、機器１２００に対して、直接又は端末装置１１００を介して、機器状態情報要求を送信する（Ｓ１２０３）。そして、制御部４１１は、機器１２００から機器状態情報要求に対する応答がなく機器状態情報を受信しなかった場合には、機器１２００の電源はオンの状態ではないと判断する（Ｓ１２０４）。次に、制御部４１１は、図１６に示す動作指定情報テーブルと、図７（ｂ）に示すユーザプロファイルテーブルを参照して、端末装置１１００に送信する動作指定情報として、情報Ａのいずれかを決定する（Ｓ１２０５〜Ｓ１２０７）。そして、決定された動作指定情報を端末装置１１００に対して送信し（Ｓ１２０８）、当該プログラムの次の実行タイミングまで待機する。なお、この場合は、機器１２００に対して送信される動作指定情報は情報Ａには含まれていないので、機器１２００に対して動作指定情報は送信されない。
【０２０４】
一方、制御部４１１は、Ｓ１２０４において機器状態情報要求に対する応答として機器１２００から機器状態情報を受信した場合には、その受信した情報に基づいて機器１２００の電源がオンの状態であると判断する（Ｓ１２０４）。次に、制御部４１１は、図１６に示す動作指定情報テーブルと、図７（ｂ）に示すユーザプロファイルテーブルを参照して、端末装置１１００及び機器１２００の少なくとも一つに送信する動作指定情報として、情報Ｄのいずれかを決定する（Ｓ１２０９〜Ｓ１２１１）。そして、その決定に応じて動作指定情報を端末装置１１００及び機器１２００の少なくとも一つに対して送信し（Ｓ１２１２）、当該プログラムの次の実行タイミングまで待機する。
【０２０５】
次に、制御部４１１は、Ｓ１２０１において端末装置１１００から機器特定情報を含む図１５に例示する情報を受信したと判断した場合には、当該情報をメモリ部４１４に記憶するよう制御する。そして、端末装置１１００が情報通信媒体１３００と近距離無線通信が可能なエリア内にいる、すなわち通信中の状態であると判断する（Ｓ１２１３）。次に、制御部４１１は、機器１２００に対して、直接又は端末装置１１００を介して、機器状態情報要求を送信する（Ｓ１２１４）。そして、制御部４１１は、機器１２００から機器状態情報要求に対する応答として機器状態情報を受信した場合には、その受信した情報に基づいて機器１２００の電源がオンの状態であると判断する（Ｓ１２１５）。次に、制御部４１１は、図１６に示す動作指定情報テーブルと、図７（ｂ）に示すユーザプロファイルテーブルを参照して、端末装置１１００及び機器１２００の少なくとも一つに送信する動作指定情報として、情報Ｂのいずれかを決定する（Ｓ１２１６〜Ｓ１２１８）。そして、その決定に応じて動作指定情報を端末装置１１００及び機器１２００の少なくとも一つに対して送信し（Ｓ１２１９）、当該プログラムの次の実行タイミングまで待機する。
【０２０６】
一方、制御部４１１は、Ｓ１２１５において、機器１２００から機器状態情報要求に対する応答がなく機器状態情報を受信しなかった場合には、機器１２００の電源はオンの状態ではないと判断する（Ｓ１２１５）。次に、制御部４１１は、図１６に示す動作指定情報テーブルと、図７（ｂ）に示すユーザプロファイルテーブルを参照して、端末装置１１００及び機器１２００の少なくとも一つに送信する動作指定情報として、情報Ｃのいずれかを決定する（Ｓ１２２０〜Ｓ１２２２）。そして、その決定に応じて動作指定情報を端末装置１１００及び機器１２００の少なくとも一つに対して送信し（Ｓ１２２３）、当該プログラムの次の実行タイミングまで待機する。
【０２０７】
なお、本実施形態では、機器状態情報について、直接又は端末装置１１００を介して、機器１２００に要求し、この要求に応答して機器１２００からサーバー装置１４００に送信するようにした。しかし、機器１２００からあらかじめ機器１２００の状態を管理するサーバー装置に送信し、そのサーバー装置に対してサーバー装置１４００から要求を送信することで、機器状態情報を入手するようにしても良い。
【０２０８】
上記のとおり、本実施形態においては、第１実施形態と同様の効果を得ることが可能である。また、機器１２００がネットワークを介してサーバー装置１４００と通信可能に接続されるので、情報通信媒体１３００を介することなく機器状態情報をサーバー装置１４００に送信する。したがって、端末装置１１００と情報通信媒体１３００との間で近距離無線通信ができない状態であっても、サーバー装置１４００は機器状態情報を入手することが可能であり、より細かな状況を反映した情報の提供が可能となる。
【０２０９】
さらに、機器１２００はサーバー装置１４００と動作指定情報を受信可能に接続されているので、状況に応じた制御を機器１２００に対しても行うことが可能となる。
【０２１０】
＜その他の実施形態＞
なお、第１及び第２実施形態においては、サーバー装置４００又は１４００が一体の場合について説明したが、当然、扱う情報や処理に応じてサーバー装置を複数備え、それぞれが連携して処理をすることが可能である。サーバー装置４００又は１４００のメモリ部４１４には、動作指定情報テーブルとユーザプロファイルテーブルに加えて、機器特定情報に対応付けてその機器２００又は１２００の種別（テレビ、冷蔵庫、自動車など）、機器２００又は１２００のメーカー、機器２００又は１２００の購入日時、機器２００又は１２００のサポート期限などを記憶したテーブルや、情報通信媒体３００又は１３００に付与された識別ＩＤと機器２００又は１２００との対応関係を示すテーブルが記憶されると説明した。しかし、例えば、動作指定情報テーブルとユーザプロファイルテーブルを管理するサーバー装置と、他のテーブルや情報を管理するサーバー装置とに分けて構成することも可能である。
【０２１１】
第１及び第２実施形態においては、機器２００又は機器１２００としてテレビを中心に説明したが、当然他の機器においても本発明を適用することが可能である。他の例として、セットトップボックスなどのテレビ放送用受信機、ビデオやＤＶＤ、ＣＤなどを再生する各種オーディオデッキ、家庭用ゲーム機、冷蔵庫、電子レンジ、照明器具、エアコン、体重計などの健康器具等の各種家電製品に加えて、自動車等も挙げることが可能である。
【０２１２】
家庭用ゲーム機を機器２００又は１２００として利用する場合には、機器状態情報としては、電源オンの状態に関する情報に代えて、現在実行中のゲーム情報を送信することが可能である。また、健康器具を利用する場合には、機器状態情報としては電源のオンの状態に関する情報を用いることで、ユーザに定期的に健康器具の利用を促し、より健康的な生活を提供することができる。
【０２１３】
また、第２実施形態においてサーバー装置１４００から機器１２００に対して動作指定情報が送信される場合について説明したが、当然、第１実施形態においても、同様に、動作指定情報を機器２００に対して送信し、機器２００を動作指定情報に基づいて制御させることが可能である。このような場合は、一例としては、機器２００が備える無線通信処理部２１８及びアンテナ２１９を介して、または有線通信処理部を介して、サーバー装置４００と接続することにより行うことが可能である。
【０２１４】
本明細書で説明される処理及び手順は、実施形態において明示的に説明されたものによってのみならず、ソフトウェア、ハードウェア又はこれらの組み合わせによっても実現可能なものである。具体的には、本明細書で説明された処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【０２１５】
本明細書中で説明される処理及び手順が単一の装置、ソフトウェア、コンポーネント、モジュールによって実行される旨が説明されたとしても、そのような処理又は手順は、複数の装置、複数のソフトウェア、複数のコンポーネント、及び／又は、複数のモジュールによって実行されるものとすることができる。また、本明細書中で説明されるデータ、テーブル又はデータベースが単一のメモリに格納される旨説明されたとしても、そのようなデータ、テーブル又はデータベースは、単一の装置に備えられた複数のメモリ又は複数の装置に分散して配置された複数のメモリに分散して格納されるものとすることができる。さらに、本明細書において説明されるソフトウェアおよびハードウェアの要素は、それらをより少ない構成要素に統合して、又は、より多い構成要素に分解することによって実現されるものとすることができる。
【符号の説明】
【０２１６】
１  情報管理システム
１００  端末装置
２００  機器
３００  情報通信媒体
４００  サーバー装置
【要約】
【課題】
ユーザに対して所定の情報の提供をするにあたって、より利便性が高められたサーバー装置を提供する。
【解決手段】
所定の機器と対応付けられた情報通信媒体との間で近距離無線通信により通信可能な端末装置から送信された情報の受信に基づいて、前記情報通信媒体との間で近距離無線通信が可能なエリア内に前記端末装置がいるか否かを判断 し、前記判断の結果に応じて、前記端末装置に提供する、前記機器に関連する所定の情報を決定する制御部を含むサーバー装置である。
【選択図】  図１【図１】
0005886927.tif 000002
【図２】
0005886927.tif 000003
【図３】
0005886927.tif 000004
【図４】
0005886927.tif 000005
【図５】
0005886927.tif 000006
【図６】
0005886927.tif 000007
【図７】
0005886927.tif 000008
【図８（ａ）】
0005886927.tif 000009
【図８（ｂ）】
0005886927.tif 000010
【図９】
0005886927.tif 000011
【図１０】
0005886927.tif 000012
【図１１】
0005886927.tif 000013
【図１２】
0005886927.tif 000014
【図１３】
0005886927.tif 000015
【図１４】
0005886927.tif 000016
【図１５】
0005886927.tif 000017
【図１６】
0005886927.tif 000018
【図１７（ａ）】
0005886927.tif 000019
【図１７（ｂ）】
0005886927.tif 000020
【図１８】
0005886927.tif 000021
【図１９】
0005886927.tif 000022
【図２０】
0005886927.tif 000023